(57)【特許請求の範囲】
【請求項１】
内部キャビティを有するボディ部であって、トウ部と、ヒール部と、トップ部と、ソール部と、バック部と、フェース部を持つフロント部とを有する、前記ボディ部と、
複数のウェイト部と、
前記フロント部と前記バック部の間に延びる第１のウェイトプラットフォーム部を含む、前記トウ部又はその近傍にある第１の領域であって、前記第１のウェイトプラットフォーム部は複数のポートを有し、前記第１のウェイトプラットフォーム部の前記複数のポートの各ポートは、前記第１のウェイトプラットフォーム部の前記複数のポートが前記フロント部から前記バック部に向かう方向に延びるように、隣接するポートに対して前記フロント部から前記バック部に向かう方向に離して配置され、前記第１のウェイトプラットフォーム部の各ポートは、前記複数のウェイト部のうちの１つのウェイト部を受けるように構成され、前記第１のウェイトプラットフォーム部は、前記トップ部の第１の表面の上に設けられ且つ前記複数のウェイト部のうちの少なくとも２つのウェイト部で前記トップ部に取り外し可能に接続される、前記第１の領域と、
前記フロント部と前記バック部の間に延びる第２のウェイトプラットフォーム部を含む、前記ヒール部又はその近傍にある第２の領域であって、前記第２のウェイトプラットフォーム部は複数のポートを有し、前記第２のウェイトプラットフォーム部の前記複数のポートの各ポートは、前記第２のウェイトプラットフォーム部の前記複数のポートが前記フロント部から前記バック部に向かう方向に延びるように、隣接するポートに対して前記フロント部から前記バック部に向かう方向に離して配置され、前記第２のウェイトプラットフォーム部の各ポートは、前記複数のウェイト部のうちの１つのウェイト部を受けるように構成され、前記第２のウェイトプラットフォーム部は、前記トップ部の第２の表面の上に設けられ且つ前記複数のウェイト部のうちの少なくとも２つのウェイト部で前記トップ部に取り外し可能に接続される、前記第２の領域と、
を備えたゴルフクラブヘッドであって、
前記内部キャビティは、弾性ポリマー材料で少なくとも５０％が充填されていることを特徴とするゴルフクラブヘッド。
【請求項２】
請求項１に記載のゴルフクラブヘッドにおいて、
前記フェース部は、前記内部キャビティにアクセスするためのフェース開口部を含み、
前記内部キャビティは、前記フェース開口部を通じて前記弾性ポリマー材料で充填されており、
前記フェース部は、前記フェース開口部を覆うように構成されたフェース挿入物を備えることを特徴とするゴルフクラブヘッド。
【請求項３】
請求項１に記載のゴルフクラブヘッドにおいて、
前記ソール部は、前記内部キャビティにアクセスするためのソール開口部を含み、
前記内部キャビティは、前記ソール開口部を通じて前記弾性ポリマー材料で充填されていることを特徴とするゴルフクラブヘッド。
【請求項４】
請求項１に記載のゴルフクラブヘッドにおいて、
前記第１のウェイトプラットフォーム部及び前記第２のウェイトプラットフォーム部は、異なる質量を有することを特徴とするゴルフクラブヘッド。
【請求項５】
請求項１に記載のゴルフクラブヘッドにおいて、
前記第１のウェイトプラットフォーム部及び前記第２のウェイトプラットフォーム部は、前記ボディ部の色とは異なる色を有して、アドレスポジションにいる人のための第１の視覚的ガイド部及び第２の視覚的ガイド部を画定することを特徴とするゴルフクラブヘッド。
【請求項６】
請求項１に記載のゴルフクラブヘッドにおいて、
前記第１のウェイトプラットフォーム部は、前記ボディ部の長さの５０％より大きい長さを有し、
前記第２のウェイトプラットフォーム部は、前記ボディ部の長さの５０％より大きい長さを有することを特徴とするゴルフクラブヘッド。
【請求項７】
請求項１に記載のゴルフクラブヘッドにおいて、
前記第１及び第２のウェイトプラットフォーム部と前記複数のウェイト部は、トウ側に偏った重量分布又はヒール側に偏った重量分布の少なくとも１つを提供するように構成されていることを特徴とするゴルフクラブヘッド。
【請求項８】
内部キャビティを有するボディ部であって、トウ部と、ヒール部と、トップ部と、ソール部と、バック部と、フェース挿入物を含むフェース部を持つフロント部とを有し、第１の色を有する、前記ボディ部と、
複数のウェイト部と、
前記トウ部又はその近傍の前記トップ部に取り外し可能に接続され且つ前記トップ部の上面の上に延びる第１のウェイトプラットフォーム部を有する第１の領域であって、前記第１のウェイトプラットフォーム部は、前記フロント部から前記バック部に向かう方向に離して配置された前記複数のウェイト部のうちの少なくとも２つのウェイト部を受けるように構成された、前記第１の領域と、
前記第１のウェイトプラットフォーム部とは別に前記ヒール部又はその近傍の前記トップ部に取り外し可能に接続され且つ前記トップ部の前記上面の上に延びる第２のウェイトプラットフォーム部を有する第２の領域であって、前記第２のウェイトプラットフォーム部は、前記フロント部から前記バック部に向かう方向に離して配置された前記複数のウェイト部のうちの少なくとも２つのウェイト部を受けるように構成された、前記第２の領域と、
を備えたゴルフクラブヘッドであって、
前記第１のウェイトプラットフォーム部及び前記第２のウェイトプラットフォーム部は、前記トウ部から前記ヒール部に向かう方向に前記トップ部上で離して配置され、前記第１のウェイトプラットフォーム部及び前記第２のウェイトプラットフォーム部は、アドレスポジションにいる人に視認可能であり且つゴルフボールを打つときに前記ボディ部の動く方向と実質的に同じ方向に長く延びて、第１の視覚的ガイド部及び第２の視覚的ガイド部を画定し、
前記内部キャビティは、弾性ポリマー材料で少なくとも５０％が充填されていることを特徴とするゴルフクラブヘッド。
【請求項９】
請求項８に記載のゴルフクラブヘッドにおいて、
前記第１のウェイトプラットフォーム部は複数の第１のポートを含み、前記第２のウェイトプラットフォーム部は複数の第２のポートを含み、
前記複数の第１のポート及び前記複数の第２のポートの各ポートは、前記複数のウェイト部のうちの１つのウェイト部を受けるように構成されていることを特徴とするゴルフクラブヘッド。
【請求項１０】
請求項８に記載のゴルフクラブヘッドにおいて、
前記フェース部は、前記内部キャビティに接続されたフェース開口部を含み、
前記内部キャビティは、前記フェース開口部を通じて前記弾性ポリマー材料で充填されており、
前記フェース挿入物は、前記フェース開口部を覆うように構成されていることを特徴とするゴルフクラブヘッド。
【請求項１１】
請求項８に記載のゴルフクラブヘッドにおいて、
前記ソール部は、前記内部キャビティに接続されたソール開口部を含み、
前記内部キャビティは、前記ソール開口部を通じて前記弾性ポリマー材料で充填されていることを特徴とするゴルフクラブヘッド。
【請求項１２】
請求項８に記載のゴルフクラブヘッドにおいて、
前記第１の領域は、第１全質量を有し、
前記第２の領域は、第２全質量を有し、
前記第２全質量は、前記第１全質量とは異なることを特徴とするゴルフクラブヘッド。
【請求項１３】
請求項８に記載のゴルフクラブヘッドにおいて、
前記第１のウェイトプラットフォーム部及び前記第２のウェイトプラットフォーム部の各々は、複数のポートを含み、
前記複数のポートの各ポートは、前記複数のウェイト部のうちの１つのウェイト部を受けるように構成されており、
前記第１及び第２のウェイトプラットフォーム部と前記複数のウェイト部は、トウ側に偏った重量分布又はヒール側に偏った重量分布の少なくとも１つを提供するように構成されていることを特徴とするゴルフクラブヘッド。
【請求項１４】
請求項８に記載のゴルフクラブヘッドにおいて、
前記第１のウェイトプラットフォーム部及び前記第２のウェイトプラットフォーム部の各々は、複数のポートを含み、
前記複数のポートの各ポートは、前記複数のウェイト部のうちの１つのウェイト部を受けるように構成されており、
前記第１のウェイトプラットフォーム部及び前記第２のウェイトプラットフォーム部の各々は、前記複数のウェイト部のうちの少なくとも２つのウェイト部で前記ボディ部に固定されていることを特徴とするゴルフクラブヘッド。
【請求項１５】
請求項８に記載のゴルフクラブヘッドにおいて、
前記第１のウェイトプラットフォーム部は、前記ボディ部の長さの５０％より大きい長さを有し、
前記第２のウェイトプラットフォーム部は、前記ボディ部の長さの５０％より大きい長さを有することを特徴とするゴルフクラブヘッド。
【請求項１６】
内部キャビティを有するボディ部であって、トウ部と、ヒール部と、トップ部と、ソール部と、バック部と、フェース部を持つフロント部とを有する、前記ボディ部と、
複数のウェイト部と、
前記トウ部又はその近傍にある第１の領域であって、前記ボディ部とは別の部分であり且つ前記トップ部に取り外し可能に接続され且つ前記トップ部の表面の上に延びる第１のウェイトプラットフォーム部を有し、前記第１のウェイトプラットフォーム部は、前記フロント部からバック部に向かう方向の長さと前記トウ部から前記ヒール部に向かう方向の前記長さよりも実質的に小さい幅とを有し、前記第１のウェイトプラットフォーム部の前記長さは、前記ボディ部の長さの５０％より大きい、前記第１の領域と、
前記ヒール部又はその近傍にある第２の領域であって、前記ボディ部とは別の部分であり且つ前記トップ部に取り外し可能に接続され且つ前記トップ部の表面の上に延びる第２のウェイトプラットフォーム部を有し、前記第２のウェイトプラットフォーム部は、前記フロント部から前記バック部に向かう方向の長さと前記トウ部から前記ヒール部に向かう方向の前記長さよりも実質的に小さい幅とを有し、前記第２のウェイトプラットフォーム部の前記長さは、前記ボディ部の長さの５０％より大きい、前記第２の領域と、
を備えたゴルフクラブヘッドであって、
前記第１のウェイトプラットフォーム部及び前記第２のウェイトプラットフォーム部の各々は、複数のポートを含み、
前記複数のポートの各ポートは、前記複数のウェイト部のうちの１つのウェイト部を受けるように構成されており、
前記内部キャビティは、弾性ポリマー材料で少なくとも５０％が充填されていることを特徴とするゴルフクラブヘッド。
【請求項１７】
請求項１６に記載のゴルフクラブヘッドにおいて、
前記第１のウェイトプラットフォーム部及び前記第２のウェイトプラットフォーム部は、異なる質量を有することを特徴とするゴルフクラブヘッド。
【請求項１８】
請求項１６に記載のゴルフクラブヘッドにおいて、
前記第１のウェイトプラットフォーム部及び前記第２のウェイトプラットフォーム部は、前記ボディ部の色とは異なる色を有して、アドレスポジションにいる人のための第１の視覚的ガイド部及び第２の視覚的ガイド部を画定することを特徴とするゴルフクラブヘッド。
【請求項１９】
請求項１６に記載のゴルフクラブヘッドにおいて、
前記第１及び第２のウェイトプラットフォーム部と前記複数のウェイト部は、トウ側に偏った重量分布又はヒール側に偏った重量分布の少なくとも１つを提供するように構成されていることを特徴とするゴルフクラブヘッド。
【請求項２０】
請求項１６に記載のゴルフクラブヘッドにおいて、
前記ソール部は、前記内部キャビティに関連するソール開口部を含み、
前記内部キャビティは、前記ソール開口部を通じて前記弾性ポリマー材料で充填されていることを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、2015年3月26に出願された米国仮出願第62/138,925号、2015年8月31に出願された米国仮出願第62/212,462号、及び2015年9月3日に出願された米国仮出願第62/213,933号の利益を主張する。本出願はまた、2014年12月30日に出願された米国出願第14/586,720号の一部継続出願である。本出願はまた、2015年9月3日に出願された米国出願第29/538,456号の一部継続出願である、2016年1月6日に出願された米国出願第29/550,730号の一部継続出願である。参照出願の開示は、参照により本明細書に組み込まれる。
【０００３】
［技術分野］
本開示は、一般にゴルフ用品に関し、より具体的には、ゴルフクラブヘッド及びゴルフクラブヘッド製造方法に関する。
【背景技術】
【０００４】
ゴルフボールに対するアドレスポジションにおけるゴルフクラブヘッドの適切なアライメントは、各人の成績を向上させることができる。種々のアライメント補助具が、各人の視覚的なアライメントを向上させるために、ゴルフクラブに使用されてきた。
【図面の簡単な説明】
【０００５】
【図１】図１は、本明細書に記載の器具、方法、及び製造物の一実施例に関するゴルフクラブヘッドの正面斜視図である。
【０００６】
【図２】図２は、図１に例示したゴルフクラブヘッドの背面斜視図である。
【０００７】
【図３】図３は、図１に例示したゴルフクラブヘッドの正面図である。
【０００８】
【図４】図４は、図１に例示したゴルフクラブヘッドの背面図である。
【０００９】
【図５】図５は、図１に例示したゴルフクラブヘッドの平面図である。
【００１０】
【図６】図６は、図１に例示したゴルフクラブヘッドの底面図である。
【００１１】
【図７】図７は、図１に例示したゴルフクラブヘッドの左側面図である。
【００１２】
【図８】図８は、図１に例示したゴルフクラブヘッドの右側面図である。
【００１３】
【図９】図９は、図１に例示したゴルフクラブヘッドの例示的なトウ部の分解図である。
【００１４】
【図１０】図１０は、図１に例示したゴルフクラブヘッドの例示的な視覚的ガイド部の分解図である。
【００１５】
【図１１】図１１は、図１に例示したゴルフクラブヘッドに対する例示的なゴルフホールを示す図である。
【００１６】
【図１２】図１２は、本明細書に記載の器具、方法、及び製造物の別の実施例に関するゴルフクラブヘッドの正面斜視図である。
【００１７】
【図１３】図１３は、図１１に例示したゴルフクラブヘッドの背面斜視図である。
【００１８】
【図１４】図１４は、図１１に例示したゴルフクラブヘッドの平面図である。
【００１９】
【図１５】図１５は、本明細書に記載のゴルフクラブヘッドを製造する１つの方法を示す図である。
【００２０】
【図１６】図１６は、本明細書に記載の器具、方法、及び製造物の更に別の実施例に関するゴルフクラブヘッドの正面斜視図である。
【００２１】
【図１７】図１７は、図１６に例示したゴルフクラブヘッドの正面図である。
【００２２】
【図１８】図１８は、図１６に例示したゴルフクラブヘッドの背面図である。
【００２３】
【図１９】図１９は、図１６に例示したゴルフクラブヘッドの平面図である。
【００２４】
【図２０】図２０は、図１６に例示したゴルフクラブヘッドの底面図である。
【００２５】
【図２１】図２１は、図１６に例示したゴルフクラブヘッドの左側面図である。
【００２６】
【図２２】図２２は、図１６に例示したゴルフクラブヘッドの右側面図である。
【００２７】
【図２３】図２３は、図１６に例示したゴルフクラブヘッドのボディ部の平面図である。
【００２８】
【図２４】図２４は、図２３に例示したボディ部の底面図である。
【００２９】
【図２５】図２５は、図１６に例示したゴルフクラブヘッドに関連するウェイト部の平面図である。
【００３０】
【図２６】図２６は、図１６に例示したゴルフクラブヘッドに関連するウェイト部の側面図である。
【００３１】
【図２７】図２７は、図１６に例示したゴルフクラブヘッドに関連する別のウェイト部の側面図である。
【００３２】
【図２８】図２８は、図１６における別の例示的なボディ部の底面図である。
【００３３】
【図２９】図２９は、本明細書に記載の器具、方法、及び製造物の更に別の実施例に関するゴルフクラブヘッドの平面図である。
【００３４】
【図３０】図３０は、本明細書に記載の器具、方法、及び製造物の更に別の実施例に関するゴルフクラブヘッドの断面図である。
【００３５】
【図３１】図３１は、図３０における別の例示的なゴルフクラブヘッドの断面図である。
【００３６】
【図３２】図３２は、本明細書に記載の器具、方法、及び製造物の更に別の実施例に関するゴルフクラブヘッドの正面図である。
【００３７】
【図３３】図３３は、図３２のゴルフクラブヘッドの背面図である。
【００３８】
【図３４】図３４は、図３１のゴルフクラブヘッドの図３２の３４−３４線に沿った断面図である。
【００３９】
【図３５】図３５は、図３１のゴルフクラブヘッドの図３３の３５−３５線に沿った断面図である。
【００４０】
【図３６】図３６は、図３１のゴルフクラブヘッドの図３３の３６−３６線に沿った断面図である。
【００４１】
【図３７】図３７は、図３１のゴルフクラブヘッドの図３３の３７−３７線に沿った断面図である。
【００４２】
【図３８】図３８は、本明細書に記載の器具、方法、及び製造物の更に別の実施例に関するゴルフクラブヘッドの正面及び上面斜視図である。
【００４３】
【図３９】図３９は、図３８のゴルフクラブヘッドの正面及び底面斜視図である。
【００４４】
【図４０】図４０は、図３８のゴルフクラブヘッドの正面図である。
【００４５】
【図４１】図４１は、図３８のゴルフクラブヘッドの背面図である。
【００４６】
【図４２】図４２は、図３８のゴルフクラブヘッドの平面図である。
【００４７】
【図４３】図４３は、図３８のゴルフクラブヘッドの底面図である。
【００４８】
【図４４】図４４は、図３８のゴルフクラブヘッドのヒール側面図である。
【００４９】
【図４５】図４５は、図３８のゴルフクラブヘッドのトウ側面図である。
【００５０】
【図４６】図４６は、図３８のゴルフクラブヘッドの図４３の４６−４６線に沿った断面図である。
【発明を実施するための形態】
【００５１】
説明の簡素化及び明確化のために、図面は構造を一般的な方法で示し、周知の機能及び技術の説明及び詳細は本開示を不必要に不明瞭にすることを避けるために省略される。また、図面中の要素は一定の縮尺で描かれないことがある。例えば、図面中の一部の要素の寸法は、本開示の実施例の理解の改善を助けるために他の要素に対して誇張され得る。
【００５２】
一般に、ゴルフクラブヘッド及びゴルフクラブヘッド製造方法が本明細書に記載される。本明細書に記載の器具、方法、及び製造物は、これに限定されない。
【００５３】
図１〜１０の例では、ゴルフクラブヘッド１００は、ボディ部１１０と、概して１２２、１２４、１２６として示される、視覚的ガイド部１２０とを含んでもよい。ボディ部１１０は、トウ部１３０と、ヒール部１４０と、フロント部１５０と、リア部１６０と、トップ部１７０と、ソール部１８０とを含んでもよい。ボディ部１１０は、種々の製造方法及び／又は工程（例えば、鋳造工程、鍛造工程、フライス工程、切削工程、研削工程、溶接工程、それらの組み合わせ、等）を介して製造することができる。ボディ部１１０は、部分的に又は完全に、アルミニウム系材料（例えば、高強度アルミニウム合金、又は高強度合金で被覆された複合アルミニウム合金）、マグネシウム系材料、ステンレス系材料、チタン系材料、タングステン系材料、それらの任意の組み合わせ、及び／又は他の適切なタイプの材料で作製されてもよい。あるいは、ボディ部１１０は、部分的に又は完全に、非金属材料（例えば、複合材料、プラスチック、等）で作製されてもよい。ゴルフクラブヘッド１００は、パター型ゴルフクラブヘッド（例えば、ブレード型パター、ミッドマレット型パター、マレット型パター、等）であってもよい。上述したようなパターのタイプに基づいて、ボディ部１１０は少なくとも２００グラムであってもよい。例えば、ボディ部１１０は、３００から６００グラムの範囲であってもよい。図１〜１０は特定のタイプのゴルフクラブヘッドを示すが、本明細書に記載の器具、方法、及び製造物は、他のタイプのクラブヘッド（例えば、ドライバー型クラブヘッド、フェアウェイウッド型クラブヘッド、ハイブリッド型クラブヘッド、アイアン型クラブヘッド、等）に適用されてもよい。本明細書に記載の器具、方法、及び製造物は、これに限定されない。
【００５４】  トウ部１３０及びヒール部１４０は、それぞれ、ボディ部１１０の反対側の両端部にあってもよい。ヒール部１４０は、ゴルフクラブを形成するシャフトの一方の端部で、グリップ（不図示）を持つシャフト（不図示）を受けるように構成されたホーゼル部１４５と、他方の端部にあるゴルフクラブヘッド１００とを含んでもよい。あるいは、ヒール部１４０は、シャフトを受けるボア部（図１２に１２４５として１つ示される）を含んでもよい。トウ部１３０及びヒール部１４０は、それぞれ、ボディ部１１０の幅を画定してもよい。
【００５５】
同様に、フロント部１５０及びリア部１６０は、それぞれ、ボディ部１１０の反対側の両端部にあってもよい。フロント部１５０は、フェース部１５５（例えば、打撃面）を含んでもよい。フェース部１５５は、ゴルフボール（図５に５００として１つ示される）に衝撃を与えるために使用されてもよい。フェース部１５５は、ボディ部１１０と一体的な部分であってもよい。あるいは、フェース部１５５は、種々の製造方法及び／又は工程（例えば、ボンディング工程、溶接工程、ろう付け工程、機械的なロック方法、機械的な締結方法、それらの任意の組み合わせ、又は他の適切なタイプの製造方法及び／又は工程）を介してボディ部１１０に結合される、別々の部品又は挿入物でもよい。フェース部１５５は、ゴルフクラブヘッド１００のロフト角を画定するロフト面と関連付けられてもよい。フロント部１５０及びリア部１６０は、それぞれ、ボディ部１１０の長さ（図９に９２０として示される）を画定してもよい。本明細書に記載の器具、方法、及び製造物は、これに限定されない。
【００５６】
一例では、視覚的ガイド部１２０は、第１のガイド部１２２と、第２のガイド部１２４とを含んでもよい。第１及び第２のガイド部１２２、１２４は、それぞれ、フロント部１５０とリア部１６０のそれぞれの間に設けられてもよい。例えば、第１及び第２のガイド部１２２、１２４は、それぞれ、ボディ部１１０の長さの範囲に設けられてもよい。第１及び第２のガイド部１２２、１２４は、それぞれ、実質的に一致してもよい（例えば、同じ長さ）。あるいは、第１及び第２のガイド部１２２、１２４は、それぞれ、異なる長さを有してもよい。すなわち、第１のガイド部１２２は、第２のガイド部１２４より長くてもよく、又はその逆でもよい。本明細書に記載の器具、方法、及び製造物は、これに限定されない。
【００５７】
視覚的ガイド部１２０は、実線部、破線部、点線部、又はそれらの任意の組み合わせを含んでもよい。図に示すように、例えば、第１及び第２のガイド部１２２、１２４は、それぞれ、実線部であってもよい。視覚的ガイド部１２０は、色付き線部、凸状線部、凹状線部、レーザエッチング線部、又はそれらの任意の組み合わせを含んでもよい。例えば、第１及び第２のガイド部１２２、１２４は、それぞれ、色付き及び凹状線部（例えば、ボディ部１１０に対するコントラスト層を含む）であってもよい。第１及び第２のガイド部１２２、１２４は、ボディ部１１０の色とは異なる、それぞれ同じ色であってもよい（例えば、２つの対比色）。例えば、第１及び第２のガイド部１２２、１２４は、それぞれ、白色であり得る一方で、ボディ部１１０は、黒色（例えば、黒ニッケルクロム）であり得る。あるいは、ボディ部１１０及び／又は視覚的ガイド部１２０は、ボディ部１１０と視覚的ガイド部１２０が対照的な仕上げとなるように、異なる方法及び／又は工程で製造されてもよい。例えば、ボディ部１１０は、黒ニッケルクロムの仕上げであり得る一方で、第１及び第２のガイド部１２２、１２４は、それぞれ、ステンレス鋼の仕上げであり得る。上記の例は、第１及び第２のガイド部１２２、１２４は、それぞれ、同じ色を有する記述であるが、第１及び第２のガイド部１２２、１２４は、それぞれ、異なる色を有してもよい。本明細書に記載の器具、方法、及び製造物は、これに限定されない。
【００５８】
また、第１及び第２のガイド部１２２、１２４は、それぞれ、互いに実質的に平行であってもよい。第１及び第２のガイド部１２２、１２４は、それぞれ、少なくとも１．６８インチで分離されてもよい。第１のガイド部１２２は、トウ部１３０又はその近傍に配置され得る一方で、第２のガイド部１２４は、ヒール部１４０又はその近傍に配置され得る。例えば、第１のガイド部１２２は、トウ部１３０の外縁から１インチ未満に位置し得る一方で、第２のガイド部１２４は、ヒール部１４０の外縁から１インチ未満に位置し得る。具体的には、トウ部１３０は、トウ端部１３５と関連付けられてもよく、ヒール部１４０は、ヒール端部１４５と関連付けられてもよい。トウ端部１３５は、第１の垂直面４１５（図４）に接してもよく、ヒール端部１４５は、第２の垂直面４２５（図４）に接してもよい。第１及び第２の垂直面４１５、４２５は、それぞれ、互いに実質的に平行であってもよく、また、接地面２００に対して実質的に垂直であってもよい（図２、３）。一例では、第１のガイド部１２２は、トウ部１３０の第１の垂直面４１５から１インチ未満に配置されてもよく、第２のガイド部１２４は、ヒール部１４０の第２の垂直面４２５から１インチ未満に配置されてもよい。あるいは、第１及び第２のガイド部１２２、１２４は、それぞれ、第１及び第２の垂直面４１５、４２５のそれぞれから異なる距離に配置されてもよい。例えば、第１のガイド部１２２は、第１の垂直面４１５から０．５インチ（１２．７ｍｍ）に配置され得る一方で、第２のガイド部１２４は、第２の垂直面４２５から０．７５インチに配置され得る。本明細書に記載の器具、方法、及び製造物は、これに限定されない。
【００５９】
上述したように、第１及び第２のガイド部１２２、１２４は、それぞれ、凹状線部であってもよい。例えば、第１及び第２のガイド部１２２、１２４は、それぞれ、Ｕ字状の断面形状を有してもよい。あるいは、第１及び第２のガイド部１２２、１２４は、それぞれ、Ｖ字状の断面形状を有してもよく、任意の他の適切な断面形状を有してもよい。図９、１０に戻り、例えば、第１のガイド部１２２は、第１の垂直面４１５からの距離９１０に配置されてもよい。距離９１０は、１インチ未満であってもよい。第１のガイド部１２２は、少なくとも０．５インチ（１２．７ｍｍ）の長さ９２０を有してもよい。具体的には、長さ９２０は、約１．６インチであってもよい。また、第１のガイド部１２２は、少なくとも０．０５インチの幅１０１０と、少なくとも０．０１５インチの深さ１０２０を有してもよい。一例では、幅１０１０は、約０．１インチであってもよく、深さ１０２０は、約０．０５インチであってもよい。本明細書に記載の器具、方法、及び製造物は、これに限定されない。
【００６０】  視覚的ガイド部１２０は、他のアライメント補助具と同様に、視覚的なアライメントを支援することができる。しかし、視覚的ガイド部１２０は、他のアライメント補助具とは対照的に、ゴルフホール又はカップに対するゴルフボールを思い描く各人を支援することができる。図５、１１に示されるように、例えば、間隔５１０は、第１及び第２のガイド部１２２、１２４のそれぞれを分離してもよい。具体的には、間隔５１０は、ゴルフボール５００の直径（例えば、１．６８インチ又は４２．６７ミリメートル）よりも大きくてもよい。例えば、間隔５１０は、ゴルフカップ１１００の直径よりも大きくてもよい（例えば、４．２５インチ又は１０７．９５ミリメートル）。第１及び第２のガイド部１２２、１２４は、それぞれ、ゴルフカップ１１００よりも相対的に小さいゴルフボール５００（すなわち、ゴルフボール５００はゴルフカップ１１００の４０％未満であり得る）の心的イメージを提供することで、各人の自信とパットの能力の向上を支援することができる。あるいは、間隔５１０は、ゴルフカップ１１００よりも相対的に小さいゴルフボール５００の心的イメージを提供するために、４．２５インチ以下だが１．６８インチより大きくしてもよい。本明細書に記載の器具、方法、及び製造物は、これに限定されない。
【００６１】
視覚的ガイド部１２０はまた、第３のガイド部１２６を含んでもよい。第３のガイド部１２６は、ボディ部１１０を２等分してもよい。第３のガイド部１２６は、第１及び第２のガイド部１２２、１２４のそれぞれの対称線を画定してもよい。第３のガイド部１２６は、第１及び／または第２のガイド部１２２、１２４のそれぞれと同じでもよく、異なっていてもよい。一例では、第１、第２及び第３のガイド部１２２、１２４、１２６は、それぞれ、同じ色の凹状線部であってもよい。あるいは、第１及び第２のガイド部１２２、１２４は、それぞれ、凹状線部であり得る一方で、第３のガイド部１２６は、凸状線部であり得る。別の例では、第３のガイド部１２６は、第１及び第２のガイド部１２２、１２４のそれぞれとは異なる色であってもよい。更に別の例では、第３のガイド部１２６は、第１及び第２のガイド部１２２、１２４のそれぞれとは異なる長さを有してもよい。本明細書に記載の器具、方法、及び製造物は、これに限定されない。
【００６２】
図１２〜１４を参照すると、例えば、ゴルフクラブヘッド１２００は、ボディ部１２１０と、概して１２２２、１２２４、１２２６として示される、視覚的ガイド部１２２０とを含んでもよい。ボディ部１２１０は、トウ部１２３０と、ヒール部１２４０と、フロント部１２５０と、リア部１２６０と、トップ１２７０と、ソール部１２８０とを含んでもよい。ホーゼルの代わりに、ゴルフクラブヘッド１２００は、シャフト（不図示）を受けるボア１２４５を含んでもよい。視覚的ガイド部１２２、１２４（図１〜１１）と同様に、視覚的ガイド部１２２２、１２２４は、第１の垂直面１４１５と第２の垂直面１４２５のそれぞれから特定の距離に配置されてもよい。例えば、視覚的ガイド部１２２２は、第１の垂直面１４１５から１インチ以内に配置されてもよく、視覚的ガイド部１２２４は、第２の垂直面１４２５から１インチ以内に配置されてもよい。また、間隔は、視覚的ガイド部１２２２、１２２４を分離してもよく、ゴルフボールの直径よりも大きくてもよい。本明細書に記載の器具、方法、及び製造物は、これに限定されない。
【００６３】
図１５は、本明細書に記載のゴルフクラブヘッドを製造する１つの方法を示す図である。図１５の例では、プロセス１５００は、トウ部１３０、ヒール部１４０、フロント部１５０、及びリア部１６０を含むボディ部１１０を供給することで開始され得る（ブロック１５１０）。フロント部１５０は、ゴルフボールを打つ打撃面１５５を含んでもよい。ボディ部１１０は、種々の製造方法及び／または工程（例えば、鋳造工程、鍛造工程、フライス工程、等）を介して製造されてもよい。
【００６４】
プロセス１５００は、ゴルフボールを打撃面で打つ視覚的ガイドを提供するために、フロント部１５０とリア部１６０との間に設けられる視覚的ガイド部１２０を供給してもよい（ブロック１５２０）。視覚的ガイド部１２０は、トウ部１３０又はその近傍に配置される第１のガイド部１２２と、ヒール部１４０又はその近傍に配置される第２のガイド部１２４とを含んでもよい。第１及び第２のガイド部１２２、１２４は、それぞれ、互いに実質的に平行であってもよい。視覚的ガイド部１２０は、種々の製造方法及び／または工程（例えば、鋳造工程、鍛造工程、フライス工程、等）を介して製造されてもよい。例えば、視覚的ガイド部１２０は、ボディ部１１０と同様の製造工程（例えば、鋳造工程又はフライス工程）で製造されてもよい。他の例では、視覚的ガイド部１２０は、フライス工程で製造され得る一方で、ボディ部１１０は、鋳造工程で製造され得る。本明細書に記載の器具、方法、及び製造物は、これに限定されない。
【００６５】
図１５に戻って参照すると、プロセス１５００の例は、単に、ゴルフクラブヘッド１００を製造する１つの方法の例を他の図と共に提供し、説明している。アクションの特定の順序を図１５に示しているが、これらのアクションは、他の経時的な順番で実行されてもよい。例えば、図１５に示す２以上のアクションは、連続して、同時に、又は一斉に実行されてもよい。一例では、ブロック１５１０と１５２０は、同時に又は一斉に実行されてもよい。図１５は特定の数のブロックを示すが、プロセスは、１以上のブロックを実行しなくてもよい。本明細書に記載の器具、方法、及び製造物は、これに限定されない。
【００６６】
図１６〜２８に戻り、例えば、ゴルフクラブヘッド１６００は、ボディ部１６１０（例えば、図２３、２４）と、概して１６２２、１６２４、１６２６として示される、視覚的ガイド部１６２０とを含んでもよい。ボディ部１６１０は、トウ部１６３０と、ヒール部１６４０と、フロント部１６５０と、リア部１６６０と、トップ部１６７０と、ソール部１６８０とを含んでもよい。ボディ部１６１０はまた、シャフト（不図示）を受けるボア部１６４５を含んでもいよい。あるいは、ボディ部１６１０は、シャフトを受けるホーゼル（不図示）を含んでもよい。ボディ部１６１０は、部分的に又は完全に、鋼系材料（例えば、１７−４ＰＨステンレス鋼）、チタン系材料、アルミニウム系材料（例えば、高強度アルミニウム合金、又は高強度合金で被覆された複合アルミニウム合金）、それらの任意の組み合わせ、及び／又は他の適切なタイプの材料で作製されてもよい。あるいは、ボディ部１６１０は、部分的に又は完全に、非金属材料（例えば、複合材料、プラスチック、等）で作製されてもよい。本明細書に記載の器具、方法、及び製造物は、これに限定されない。
【００６７】
図２３に示すように、例えば、ボディ部１６１０は、概して第１の視覚的ガイド部１６２２を形成する第１セットのウェイトポート２３２０（例えば、図示のウェイトポート２３２１、２３２２、２３２３、２３２４、２３２５）及び第２の視覚的ガイド部１６２４を形成する第２セットのウェイトポート２３４０（例えば、図示のウェイトポート２３４１、２３４２、２３４３、２３４４、２３４５）として示される、２以上のウェイトポートを含んでもよい。第１及び第２セットのウェイトポート２３２０、２３４０は、それぞれ、１以上のウェイト部（例えば、図２５に２５００として１つ示される）を受けるよう構成された外部ウェイトポートであってもよい。具体的には、第１及び第２セットのウェイトポート２３２０、２３４０は、ゴルフクラブヘッド１６００の周辺又はその近傍に配置されてもよい。例えば、第１及び第２セットのウェイトポート２３２０、２３４０は、それぞれ、トップ部１６７０上又はその近傍にあってもよい。第１セットのウェイトポート２３２０は、トウ部１６３０又はその近傍にあり得る一方で、第２セットのウェイトポート２３４０は、ヒール部１６４０又はその近傍にあり得る。
【００６８】
第１セットのウェイトポート２３２０の各ウェイトポートは、第１ポート直径（ＰＤ1）を有してもよい。具体的には、第１ポート直径未満の均一な距離は、第１セット２３２０のうちの隣接するいずれか２つのウェイトポート（例えば、（i）ウェイトポート２３２１と２３２２、（ii）ウェイトポート２３２２と２３２３、（iii）ウェイトポート２３２３と２３２４、又は（iv）ウェイトポート２３２４と２３２５）を離してもよい。一例では、第１ポート直径は、約０．２５インチであってもよく、第１セット２３２０のうちの隣接するいずれか２つのウェイトポートは、０．１インチで離されてもよい。同様に、第２セットのウェイトポート２３４０の各ウェイトポートは、第２ポート直径（ＰＤ2）を有してもよい。第２ポート直径未満の均一な距離は、第２セット２３４０のうちの隣接するいずれか２つのウェイトポート（例えば、（i）ウェイトポート２３４１と２３４２、（ii）ウェイトポート２３４２と２３４３、（iii）ウェイトポート２３４３と２３４４、又は（iv）ウェイトポート２３４４と２３４５）を離してもよい。第１ポート直径及び第２ポート直径は、互いに等しくてもよい（すなわち、ＰＤ1＝ＰＤ2）。例えば、第２ポート直径は、約０．２５インチであってもよく、第２セット２３４０のうちの隣接するいずれか２つのウェイトポートは、０．１インチで離されてもよい。本明細書に記載の器具、方法、及び製造物は、これに限定されない。
【００６９】
上述したように、視覚的ガイド部１６２０は、第３のガイド部１６２６を含んでもよい。従って、ボディ部１６１０は、概して第３のガイド部１６２６を形成する第３セットのウェイトポート２３６０（例えば、図示のウェイトポート２３６１、２３６２、２３６３、２３６４、２３６５、２３６６、２３６７、２３６８）として示される、２以上のウェイトポートを含むことができる。具体的には、第３のガイド部１６２６は、第１及び第２のガイド部１６２２、１６２４から実質的に等距離であってもよい。例えば、第３のガイド部１６２６は、ボディ部１６１０の中央又はその近傍の位置で、フロント部１６５０とリア部１６６０との間に設けられてもよい。第３セットのウェイトポート２３６０の各ウェイトポートは、第３ポート直径（ＰＤ3）を有してもよい。第３ポート直径は、第１ポート直径又は第２ポート直径と等しくてもよい（すなわち、ＰＤ1＝ＰＤ2＝ＰＤ3）。具体的には、第３ポート直径未満の均一な距離は、第３セット２３６０のうちの隣接するいずれか２つのウェイトポート（例えば、（i）ウェイトポート２３６１と２３６２、（ii）ウェイトポート２３６２と２３６３、（iii）ウェイトポート２３６３と２３６４、（iv）ウェイトポート２３６４と２３６５、（v）ウェイトポート２３６５と２３６６、（vi）ウェイトポート２３６６と２３６７、又は（vii）ウェイトポート２３６７と２３６８）を離してもよい。ボディ部１６１０はまた、Ｕ字状の凹部１６９０を含んでもよい。第３のガイド部１６２６は、Ｕ字状の凹部１６９０内に配置されてもよい。本明細書に記載の器具、方法、及び製造物は、これに限定されない。
【００７０】
また図２４に示すように、ボディ部１６１０は、内部キャビティ２４００を含んでもよい。内部キャビティ２４００は、衝撃を吸収し、振動を分離し、及び／又はノイズを減衰するように、弾性ポリマー又はエラストマー材料、熱可塑性エラストマー材料（ＴＰＥ）、熱可塑性ポリウレタン材料（ＴＰＵ）、及び／又は他の適切なタイプの材料で、部分的に又は完全に充填されてもよい。プレート部２０００（図２０）は、ソール部１６８０から内部キャビティ２４００を覆ってもよい。プレート部２０００は、部分的に又は完全に、鋼系材料（例えば、１７−４ＰＨステンレス鋼）、チタン系材料、アルミニウム系材料（例えば、高強度アルミニウム合金、又は高強度合金で被覆された複合アルミニウム合金）、それらの任意の組み合わせ、及び／又は他の適切なタイプの材料で作製されてもよい。あるいは、ボディ部１６１０は、図２８に２８１０として１つ示すように、部分的に又は完全に、非金属材料（例えば、複合材料、プラスチック、等）で作製されてもよい。
【００７１】
視覚的ガイド部１６２２、１６２４は、それぞれ、視覚的ガイド部１２２２、１２２４（図１２〜１４）と同様な方法で、第１の垂直面１６１５と第２の垂直面１６２５のそれぞれから特定の距離に配置されてもよい。例えば、視覚的ガイド部１６２２は、第１の垂直面１６１５から１インチ以内に配置されてもよく、視覚的ガイド部１６２４は、第２の垂直面１６２５から１インチ以内に配置されてもよい。また、間隔１９１０は、視覚的ガイド部１６２２、１６２４を分離してもよく、ゴルフボールの直径より大きくてもよい。一例では、間隔１９１０は、３インチ（３ｉｎ．）より大きくてもよい。別の例では、間隔１９１０は、約３．７５インチでもよい。
【００７２】
視覚的ガイド部１６２２、１６２４は、ゴルフクラブヘッド１６００の周囲に対して配置してもよい。一例では、視覚的ガイド部１６２２は、トウ部１６３０又はその近傍の周囲から０．５インチ（１２．７ｍｍ）未満に配置され得る一方で、視覚的ガイド部１６２４は、ヒール部１６４０又はその近傍の周囲から０．５インチ（１２．７ｍｍ）未満に配置され得る。また、視覚的ガイド部１６２２、１６２４の各々は、フロント部１６５０とリア部１６６０との間の最大長１６９０程度に設けられてもよい。あるいは、視覚的ガイド部１６２２、１６２４の各々は、フロント部１６５０とリア部１６６０との間の最大長１６９０の５０％未満に設けられてもよい。本明細書に記載の器具、方法、及び製造物は、これに限定されない。
【００７３】
視覚的ガイド部１６２２、１６２４の各々は、それぞれ、実線（例えば、視覚的ガイド部１２２２、１２２４）に代えて、概して第１セットのウェイト部１９２０（例えば、図示の１９２１、１９２２、１９２３、１９２４、１９２５）及び第２セットのウェイト部１９４０（例えば、図示の１９４１、１９４２、１９４３、１９４４、１９４５）として示される、２以上のウェイト部で形成される点線であってもよい。同様に、視覚的ガイド部１６２６は、概して第３セットのウェイト部１９６０（例えば、図示の１９６１、１９６２、１９６３、１９６４、１９６５、１９６６、１９６７、１９６８）として示される、２以上のウェイト部で形成される点線であってもよい。第１、第２及び第３セットのウェイト部１９２０、１９４０、１９６０は、それぞれ、部分的に又は完全に、タングステン系材料のような高密度材料又は適切なタイプの材料で作製されてもよい。あるいは、第１、第２及び第３セットのウェイト部１９２０、１９４０、１９６０は、それぞれ、部分的に又は完全に、非金属材料（例えば、複合材料、プラスチック、等）で作製されてもよい。本明細書に記載の器具、方法、及び製造物は、これに限定されない。
【００７４】
第１、第２及び第３セットのウェイト部１９２０、１９４０、１９６０は、それぞれ、類似又は異なる物理的特性（例えば、密度、形状、質量、体積、サイズ、色、等）を有してもよい。図２５〜２７に例を図示するように、第１、第２及び第３セット１９２０、１９４０、１９６０の各ウェイト部は、円筒形状（例えば、円形の断面）を有してもよい。あるいは、第１及び第２セット１９２０、１９４０の各ウェイト部は、第１の形状（例えば、円筒形状）であり得る一方で、第３セット１９６０の各ウェイト部は、第２の形状（例えば、矩形状）であり得る。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。
【００７５】
また、第１、第２及び第３セット１９２０、１９４０、１９６０の各ウェイト部は、それぞれ、約０．２５インチの直径２５１０を有してもよいが、第１、第２及び第３セットのウェイト部１９２０、１９４０、１９６０は、それぞれ、異なる高さであってもよい。具体的には、第１及び第２セット１９２０、１９４０の各ウェイト部は、第１高さ２６１０（図２６）と関連付けられてもよく、第３セット１９６０の各ウェイト部は、第２高さ２７１０（図２７）と関連付けられてもよい。第１高さ２６１０は、第２高さ２７１０より相対的に長くてもよい。一例では、第１高さ２６１０は、約０．３インチであり得る一方で、第２高さ２７１０は、約０．１６インチであり得る。あるいは、第１高さ２６１０は、第２高さ２７１０以下であってもよい。本明細書に記載の器具、方法、及び製造物は、これに限定されない。
【００７６】
第１及び第２セットのウェイト部１９２０、１９４０は、それぞれ、ウェイトポートに固定するためのネジ山を含んでもよい。例えば、第１及び第２セットのウェイト部１９２０、１９４０の各ウェイト部は、ネジであってもよい。第１及び第２セットのウェイト部１９２０、１９４０は、それぞれ、工具有り又は無しでボディ部１６１０から容易に取り外し可能でなくともよい。あるいは、第１及び第２セットのウェイト部１９２０、１９４０は、それぞれ、第１及び第２セット１９２０、１９４０の１以上のウェイト部を相対的に重い又は軽いウェイト部にそれぞれ付け替えることができるように、（例えば、工具有りで）容易に取り外し可能であってもよい。別の例では、第１及び第２セットのウェイト部１９２０、１９４０は、それぞれ、第１及び第２セットのウェイト部１９２０、１９４０をそれぞれ容易に取り外しできないように、エポキシ樹脂又は接着剤でボディ部１６１０のウェイトポートに固定されてもよい。更に別の例では、第１及び第２セットのウェイト部１９２０、１９４０は、それぞれ、第１及び第２セットのウェイト部１９２０、１９４０をそれぞれ容易に取り外しできないように、エポキシ樹脂及びネジ山の両方でボディ部１６１０のウェイトポートに固定されてもよい。本明細書に記載の器具、方法、及び製造物は、これに限定されない。
【００７７】
ゴルフクラブヘッド１６００はまた、第４セットのウェイト部２１２０（例えば、図示の２１２１、２１２２、２１２３、２１２４）及び第５セットのウェイト部２２２０（例えば、図示の２２２１、２２２２、２２２３、２２２４）を含んでもよい。第４及び第５セットのウェイト部２１２０、２２２０は、リア部１６６０又はその近傍に配置されてもよいが、第４セットのウェイト部２１２０は、ヒール部１６４０又はその近傍に配置され得る一方で、第５セットのウェイト部２２２０は、トウ部１６３０又はその近傍に配置され得る。第４及び第５セットのウェイト部２１２０、２２２０の各々は、少なくとも３つのウェイト部を含んでもよい。本明細書に記載の器具、方法、及び製造物は、これに限定されない。
【００７８】
上記の例は、特定の数の視覚的ガイド部、ウェイトポート、及びウェイト部を記載するが、本明細書に記載の器具、方法、及び製造物は、より多い又はより少ない視覚的ガイド部、ウェイトポート、及び／又はウェイト部を含んでもよい。図１６〜２４は、特定のタイプのパタークラブヘッド（例えば、マレット型パタークラブヘッド）を示すが、本明細書に記載の器具、方法、及び製造物は、他のタイプのパターに適用されてもよい。図２９に示すように、本明細書に記載の器具、方法、及び製造物は、ブレード型パタークラブヘッド２９００に適用されてもよい。例えば、ゴルフクラブヘッド２９００は、ボディ部２９１０と、概して２９２２、２９２４として示される、視覚的ガイド部２９２０とを含んでもよい。ボディ部２９１０は、トウ部２９３０と、ヒール部２９４０と、フロント部２９５０と、リア部２９６０と、トップ部２９７０とを含んでもよい。ボディ部２９１０はまた、シャフト（不図示）を受けるボア２９４５を含んでもよい。あるいは、ボディ部２９１０は、シャフトを受けるホーゼル（不図示）を含んでもよい。ボディ部２９１０は、部分的に又は完全に、鋼系材料（例えば、１７−４ＰＨステンレス鋼）、チタン系材料、アルミニウム系材料（例えば、高強度アルミニウム合金、又は高強度合金で被覆された複合アルミニウム合金）、それらの任意の組み合わせ、及び／又は他の適切なタイプの材料で作製されてもよい。あるいは、ボディ部２９１０は、部分的に又は完全に、非金属材料（例えば、複合材料、プラスチック、等）で作製されてもよい。本明細書に記載の器具、方法、及び製造物は、これに限定されない。
【００７９】
視覚的ガイド部２９２２、２９２４は、それぞれ、視覚的ガイド部１６２２、１６２４（図１６〜２４）と同様に、第１の垂直面２９１５と第２の垂直面２９２５のそれぞれから特定の距離に配置されてもよい。例えば、視覚的ガイド部２９２２は、第１の垂直面２９１５から１インチ以内に配置されてもよく、視覚的ガイド部２９２４は、第２の垂直面２９２５から１インチ以内に配置されてもよい。また、間隔３０１０は、視覚的ガイド部２９２２、２９２４を分離してもよく、ゴルフボールの直径より大きくてもよい。一例では、間隔３０１０は、３インチ（３ｉｎ．）より大きくてもよい。別の例では、間隔３０１０は、約３．７５インチであってもよい。
【００８０】
視覚的ガイド部２９２２、２９２４は、ゴルフクラブヘッド２９００の周囲に対して配置されてもよい。一例では、視覚的ガイド部２９２２は、トウ部２９３０又はその近傍の周囲から０．５インチ（１２．７ｍｍ）未満に配置され得る一方で、視覚的ガイド部２９２４は、ヒール部２９４０又はその近傍の周囲から０．５インチ（１２．７ｍｍ）未満に配置され得る。また、視覚的ガイド部２９２２、２９２４の各々は、フロント部２９５０とリア部２９６０との間の最大長２９９０程度に設けられてもよい。あるいは、視覚的ガイド部２９２２、２９２４の各々は、フロント部２９５０とリア部２９６０との間の最大長２９９０の５０％未満に設けられてもよい。本明細書に記載の器具、方法、及び製造物は、これに限定されない。
【００８１】
視覚的ガイド部２９２２、２９２４の各々は、それぞれ、概して第１セットのウェイト部３０２０（例えば、図示の３０２１、３０２２、３０２３、３０２４、３０２５）及び第２セットのウェイト部３０４０（例えば、図示の３０４１、３０４２、３０４３、３０４４、３０４５）として示される、２以上のウェイト部で形成される点線であってもよい。第１セット及び第２セットのウェイト部３０２０、３０４０は、それぞれ、部分的に又は完全に、タングステン系材料のような高密度材料又は適切なタイプの材料で作製されてもよい。あるいは、第１セット及び第２セットのウェイト部３０２０、３０４０は、それぞれ、部分的に又は完全に、非金属材料（例えば、複合材料、プラスチック、等）で作製されてもよい。本明細書に記載の器具、方法、及び製造物は、これに限定されない。
【００８２】
第１及び第２セットのウェイト部３０２０、３０４０は、それぞれ、類似又は異なる物理的特性（例えば、密度、形状、質量、体積、サイズ、色、等）を有してもよい。図２５〜２７に例を図示するように、第１及び第２セット３０２０、３０４０のウェイト部の各々は、円筒形状（例えば、円形の断面）を有してもよい。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。
【００８３】
第１及び第２セットのウェイト部３０２０、３０４０は、それぞれ、ウェイトポートに固定するためのネジ山を含んでもよく、該ウェイトポートもまた、対応するネジ山を有してもよい。例えば、第１及び第２セットのウェイト部３０２０、３０４０の各ウェイト部は、ネジであってもよい。第１及び第２セットのウェイト部３０２０、３０４０は、それぞれ、工具有り又は無しでボディ部２９１０から容易に取り外し可能でなくともよい。あるいは、第１及び第２セットのウェイト部３０２０、３０４０は、それぞれ、第１及び第２セット３０２０、３０４０の１以上のウェイト部を相対的に重い又は軽いウェイト部にそれぞれ付け替えることができるように、（例えば、工具有りで）容易に取り外し可能であってもよい。別の例では、第１及び第２セットのウェイト部３０２０、３０４０は、それぞれ、第１及び第２セットのウェイト部３０２０、３０４０をそれぞれ容易に取り外しできないように、エポキシ樹脂又は接着剤でボディ部２０１０のウェイトポートに固定されてもよい。更に別の例では、第１及び第２セットのウェイト部３０２０、３０４０は、それぞれ、第１及び第２セットのウェイト部３０２０、３０４０をそれぞれ容易に取り外しできないように、エポキシ樹脂及びネジ山の両方でボディ部２９１０のウェイトポートに固定されてもよい。本明細書に記載の器具、方法、及び製造物は、これに限定されない。
【００８４】
図３０、３１の例では、ゴルフクラブヘッド３１００は、ボディ部３１１０を含んでもよい。ボディ部３１１０は、トウ部（不図示）と、ヒール部（不図示）と、フロント部３１５０と、リア部３１６０と、トップ部３１７０と、ソール部３１８０とを含んでもよい。ボディ部３１１０は、種々の製造方法及び／又は工程（例えば、鋳造工程、鍛造工程、フライス工程、切削工程、研削工程、溶接工程、それらの組み合わせ、等）を介して製造することができる。ボディ部３１１０は、部分的に又は完全に、アルミニウム系材料（例えば、高強度アルミニウム合金、又は高強度合金で被覆された複合アルミニウム合金）、マグネシウム系材料、ステンレス系材料、チタン系材料、タングステン系材料、それらの任意の組み合わせ、及び／又は他の適切なタイプの材料で作製されてもよい。あるいは、ボディ部３１１０は、部分的に又は完全に、非金属材料（例えば、複合材料、プラスチック、等）で作製されてもよい。ゴルフクラブヘッド３１００は、パター型ゴルフクラブヘッド（例えば、ブレード型パター、ミッドマレット型パター、マレット型パター、等）であってもよい。上述したようなパターのタイプに基づいて、ボディ部３１１０は少なくとも２００グラムであってもよい。例えば、ボディ部１１０は、３００から６００グラムの範囲であってもよい。図３０、３１は特定のタイプのゴルフクラブヘッドを示すが、本明細書に記載の器具、方法、及び製造物は、他のタイプのクラブヘッド（例えば、ドライバー型クラブヘッド、フェアウェイウッド型クラブヘッド、ハイブリッド型クラブヘッド、アイアン型クラブヘッド、等）に適用されてもよい。本明細書に記載の器具、方法、及び製造物は、これに限定されない。
【００８５】
ボディ部３１１０は、ゴルフクラブを形成するように、一方の端部にゴルフクラブヘッド３１００があり且つ他方の端部にグリップ（不図示）を持つシャフト（不図示）を受けるように構成されたホーゼル部３１４５を含んでもよい。フロント部３１５０及びリア部３１６０は、それぞれ、ボディ部３１１０の反対側の両端部にあってもよい。フロント部３１５０は、フェース部３１５５（例えば、打撃面）を含んでもよい。フェース部３１５５は、ゴルフボール（図５に５００として１つ示される）に衝撃を与えるために使用されてもよい。フェース部３１５５は、ボディ部３１１０と一体的な部分であってもよい。あるいは、フェース部３１５５は、種々の製造方法及び／又は工程（例えば、ボンディング工程、溶接工程、ろう付け工程、機械的なロック方法、機械的な締結方法、それらの任意の組み合わせ、又は他の適切なタイプの製造方法及び／又は工程）を介してボディ部３１１０に結合される、別々の部品又は挿入物でもよい。フェース部３１５５は、ゴルフクラブヘッド３１００のロフト角を画定するロフト面と関連付けられてもよい。本明細書に記載の器具、方法、及び製造物は、これに限定されない。
【００８６】
ボディ部３１１０は、本明細書に記載の任意のゴルフクラブヘッドと同様に１以上のウェイトポート及び１以上のウェイト部を含んでもよい。例えば、ウェイトポート３１２０が図３１に示されている。例えば、ボディ部３１１０は、複数のウェイト部を受けるように構成された、ゴルフクラブヘッド１６００のウェイトポート２３２０と同様な第１セットのウェイトポート（不図示）と、ゴルフクラブヘッド１６００のウェイトポート２３４０と同様な第２セットのウェイトポート（不図示）とを含んでもよい。従って、ゴルフクラブヘッド３１００のウェイトポート及びウェイト部の具体的な説明は省略する。あるいは、ボディ部３１１０は、任意のウェイトポート及び／又はウェイト部を含まなくてもよい。
【００８７】
ボディ部３１１０は、フロント部３１５０とバック部３１６０の間に延在する内部キャビティ３１８２を含む中空体であってもよい。また、内部キャビティ３１８２は、トップ部３１７０とソール部３１８０の間に延在してもよい。キャビティウォール部３１８４は、内部キャビティ３１８０とフェース部３１５５とを分離してもよい。内部キャビティ３１８０は、キャビティ高３１８６（ＨC）と関連付けられてもよく、ボディ部３１１０は、ボディ高３１８８（ＨB）と関連付けられてもよい。キャビティ高３１８６とボディ高３１８８はトウ部とヒール部の間で変化し得るが、キャビティ高３１８６は、ボディ高３１８８の少なくとも５０％であってもよい（ＨC＞０．５＊ＨB）。例えば、キャビティ高３１８６は、ボディ高３１８８の７０％から８５％の間で変化してもよい。内部キャビティ３１８０のキャビティ高３１８６がボディ高３１８８の５０％より大きい場合、ゴルフクラブヘッド３１００は、ゴルフクラブヘッド３１００がフェース部３１５５を介してゴルフボールを打つときに、ボディ高の５０％より小さいキャビティ高を持つゴルフクラブヘッドよりも、比較的より一貫した感触、音、及び／又は結果を生じさせることができる。しかし、キャビティ高３１８６は、ボディ高３１８８の５０％より小さくてもよい。本明細書に記載の器具、方法、及び製造物は、これに限定されない。
【００８８】  一例では、内部キャビティ３１８２は、無充填（すなわち、空の空間）であってもよい。あるいは、内部キャビティ３１８２は、充填材料（例えば、概して３１９０として示される）で、部分的に又は完全に充填されてもよい。充填材料３１９０は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料であってもよい。例えば、内部キャビティ３１８２の少なくとも５０％は、ゴルフクラブヘッド３１００がフェース部３１５５を介してゴルフボールを打つときに、衝撃を吸収し、振動を分離し、及び／又はノイズを減衰するように、ＴＰＥ材料で充填されてもよい。本明細書に記載の器具、方法、及び製造物は、これに限定されない。
【００８９】
別の例では、充填材料３１９０は、ゴルフクラブヘッド３１００がフェース部３１５５を介してゴルフボールを打つときに、衝撃を吸収し、振動を分離し、及び／又はノイズを減衰するように、エチレン共重合体材料などのポリマー材料であってもよい。具体的には、内部キャビティ３１８２の少なくとも５０％は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成型可能なエチレン共重合体、様々な形状を作り出す従来の押出し装置で使用できるエチレン共重合体、及び／又は熱硬化性ポリブタジエンゴムに類似した高圧縮性及び低反発性のエチレン共重合体で充填されてもよい。例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔ（登録商標）高性能樹脂（ＨＰＦ）ファミリーの材料（例えば、ＤｕＰｏｎｔ（登録商標）ＨＰＦ  ＡＤ１１７２、ＤｕＰｏｎｔ（登録商標）  ＨＰＦ  ＡＤ１０３５、ＤｕＰｏｎｔ（登録商標）  ＨＰＦ  １０００、及びＤｕＰｏｎｔ（登録商標）  ＨＰＦ  ２０００）に関連する任意のエチレン共重合体を含んでもよい。エチレン共重合体のＤｕＰｏｎｔ（登録商標）ファミリーは、射出成型可能であり、低圧縮性及び高反発力を提供する従来の射出成形装置及び金型を使用することができる。本明細書に記載の器具、方法、及び製造物は、これに限定されない。
【００９０】
充填材料３１９０は、図３０に示すようなボディ部３１１０のポート３１９２を介して射出成型工程により内部キャビティ３１８２に注入されてもよい。ポート３１９２は、ポート３１９２を通じて内部キャビティ３１８２に充填材料を注入できるように、ボディ部３１１０上に開口部３１９４を有してもよい。ポート３１９２は、プラグ３１９６を有してもよく、これにより内部キャビティ３１８２に充填材料３１９０を注入した後に開口部３１９４を閉じることができる。あるいは、図３１に例示するように、ボディ部３１１０のウェイトポート３１２０の少なくとも１つは、ポート３１９２と同様の接続ポート３１２２を通じて内部キャビテイ３１８２に接続されてもよい。従って、充填材料は、接続ポート３１２２を通じて少なくとも１つのウェイトポート３１２０から内部キャビティ３１８２に注入されてもよい。
【００９１】
例えば、内部キャビティ３１８２の少なくとも５０％は、ゴルフクラブヘッド３１００がフェース部３１５５を介してゴルフボールを打つときに、衝撃を吸収し、振動を分離し、ノイズを減衰し、及び／又は構造的支持を提供するように、ＴＰＥ材料で充填されてもよい。キャビティウォール部３１８４の支持と、弾性ポリマー材料で内部キャビティ３１８２の少なくとも一部を充填することによって、フェイス部３１５５は、ゴルフクラブヘッド３１００の構造的完全性、音、及び／又は感触を劣化させずに相対的に薄くすることができる。一例では、フェース部３１５５は、０．０７５インチ以下の厚さ（例えば、キャビティウォール部３１８２の厚さ）を有してもよい。別の例では、フェース部３１５５は、０．０６０インチ以下の厚さを有してもよい。更に別の例では、フェース部３１５５は、０．０５０インチ以下の厚さを有してもよい。更に、フェース部３１５５は、０．０３０以下の厚さを有してもよい。本明細書に記載の器具、方法、及び製造物は、これに限定されない。本明細書に記載の器具、方法、及び製造物は、種々の実施例で実施することができ、これらの実施例の幾つかの上記説明は、必ずしも全ての可能な実施例の完全な説明を表すものではない。代わりに、図面の説明、及び図面自体は、少なくとも１つの実施例を開示し、及び代替の実施例を開示してもよい。
【００９２】
図３１の例では、ゴルフクラブヘッド３２００は、ボディ部３２１０を含んでもよい。ボディ部３２１０は、トウ部３２３０と、ヒール部３２４０と、フロント部３２５０と、リア部３２６０と、トップ部３２７０と、ソール部３２８０とを含んでもよい。ボディ部３２１０は、種々の製造方法及び／又は工程（例えば、鋳造工程、鍛造工程、フライス工程、切削工程、研削工程、溶接工程、それらの組み合わせ、等）を介して製造することができる。ボディ部３２１０は、部分的に又は完全に、アルミニウム系材料（例えば、高強度アルミニウム合金、又は高強度合金で被覆された複合アルミニウム合金）、マグネシウム系材料、ステンレス系材料、チタン系材料、タングステン系材料、それらの任意の組み合わせ、及び／又は他の適切なタイプの材料で作製されてもよい。あるいは、ボディ部３２１０は、部分的に又は完全に、非金属材料（例えば、複合材料、プラスチック、等）で作製されてもよい。ゴルフクラブヘッド３２００は、パター型ゴルフクラブヘッド（例えば、ブレード型パター、ミッドマレット型パター、マレット型パター、等）であってもよい。上述したようなパターのタイプに基づいて、ボディ部３２１０は少なくとも２００グラムであってもよい。例えば、ボディ部３２１０は、３００から６００グラムの範囲であってもよい。図３１は特定のタイプのゴルフクラブヘッドを示すが、本明細書に記載の器具、方法、及び製造物は、他のタイプのクラブヘッド（例えば、ドライバー型クラブヘッド、フェアウェイウッド型クラブヘッド、ハイブリッド型クラブヘッド、アイアン型クラブヘッド、等）に適用されてもよい。本明細書に記載の器具、方法、及び製造物は、これに限定されない。
【００９３】
ボディ部３２１０は、ゴルフクラブを形成するように、一方の端部にゴルフクラブヘッド３２００があり且つ他方の端部にグリップ（不図示）を持つシャフト（不図示）を受けるように構成されたホーゼル部３２４５を含んでもよい。フロント部３２５０及びリア部３２６０は、それぞれ、ボディ部３２１０の反対側の両端部にあってもよい。フロント部３２５０は、フェース部３２５５（例えば、打撃面）を含んでもよい。フェース部３２５５は、ゴルフボール（図５に５００として１つ示される）に衝撃を与えるために使用されてもよい。フェース部３２５５は、ゴルフクラブヘッド３２００のロフト角を画定するロフト面と関連付けられてもよい。本明細書に記載の器具、方法、及び製造物は、これに限定されない。
【００９４】
ボディ部３２１０は、本明細書に記載の任意のゴルフクラブヘッドと同様に１以上のウェイトポート及び１以上のウェイト部を含んでもよい。例えば、ボディ部３２１０は、リア部３２６０上に第１セットのウェイトポート３３２０を含んでもよい。図３２〜３７の例では、リア部３２６０は、第１セットのウェイトポート３３２０の第１のウェイトポート３３２２と第１セットのウェイトポート３３２０の第２のウェイトポート３３２４を有するバックウォール部３２６２を含む。第１のウェイトポート３３２２は、第２のウェイトポート３３２４よりもトウ部３２３０に近接してもよい。第２のウェイトポート３３２４は、第１のウェイトポート３３２２よりもヒール部３２４０に近接してもよい。第１のウェイトポート３３２２及び第２のウェイトポート３３２４は、それぞれ、バックウォール部３２６２又はリア部３２６０上の任意の位置にあってもよい。ボディ部３２１０は、バックウォール部３２６２上に任意のウェイトポートを含まなくてもよい。本明細書に記載の器具、方法、及び製造物は、これに限定されない。
【００９５】
図３２〜３７の例では、ボディ部３２１０は、ヒール部３２４０の近傍のトウ部３２３０とヒール部３２４０の間に延在する、図３５に示すような第２セットのウェイトポート３３４０を含んでもよい。第２セットのウェイトポート３３４０は、図３４にウェイトポート３３４２、３３４３、３３４４として示す３つのウェイトポートのような、任意の数のウェイトポートを含んでもよい。ボディ部３２１０は、トウ部の近くに位置してトウ部３２３０とヒール部３２４０の間に延在する第３セットのウェイトポート３３６０を含んでもよい。第３セットのウェイトポート３３６０は、第２セットのウェイトポート３３４０のウェイトポートと同様の３つのウェイトポートのような、任意の数のウェイトポートを含んでもよい。第２及び第３セットのウェイトポート３３４０、３３６０は、それぞれ、互いに類似し且つボディ部３２１０の中間点に対して対称に配置されてもよい。本明細書に記載の器具、方法、及び製造物は、これに限定されない。
【００９６】
ゴルフクラブヘッド３２００は、複数のウェイト部を含んでもよい。各ウェイトポートは、ウェイト部を受けるように構成されてもよい。例えば、第１セットのウェイトポート３３２０のウェイトポート３３２２、３３２４は、ウェイト部３３３２、３３３４のそれぞれを受けることができる。例えば、第２ウェットのウェイトポート３３４０のウェイトポート３３４２、３３４３、３３４４は、ウェイトポート３３５２、３３５３、３３５４のそれぞれを受けることができる。第３セットのウェイトポート３３６０の各ウェイトポートは、第２セットのウェイトポート３３４０と同様にウェイト部を受けることができる。図３７の例では、第３セットのウェイトポート３３６０のウェイトポート３３６２は、ウェイト部３３７２を受けたものとして示されている。ゴルフクラブヘッド３２００のウェイトポート及びウェイト部の構成（例えば、内径、外径、サイズ、形状、隣接するウェイトポート又はウェイト部との距離、等）は、本明細書に記載の任意のゴルフクラブヘッドのウェイトポート及びウェイト部と多くの点で類似してもよい。従って、ゴルフクラブヘッド３２００のウェイトポート及びウェイト部の具体的な説明は省略する。あるいは、ボディ部３２１０は、任意のウェイトポート及び／又はウェイト部を含まなくてもよい。本明細書に記載の器具、方法、及び製造物は、これに限定されない。
【００９７】
図３２〜３７の例では、フェース部３２５５は、ボディ部３２１０に結合される別々の部品又は挿入物を含んでもよい。フェース部３２５５は、任意の製造方法及び／又は工程（例えば、ボンディング工程、溶接工程、ろう付け工程、機械的なロック方法、機械的な締結方法、それらの任意の組み合わせ、又は他の適切なタイプの製造方法及び／又は工程）を介してフロント部に結合される、フェース挿入物３２５６を含んでもよい。図３２、３４に示す一例では、フェース挿入物３２５６は、フェース挿入物３２５６のトウ部及びヒール部の近傍に２つの締結穴３２５８を含んでもよい。締結穴３２５８の各々は、ボディ部３２１０にフェース挿入物３２５６を取り付けるための締結具３２６２を受けるように構成されてもよい。ボディ部３２１０は、締結具３２６２を受けるように構成された２つの締結ポート３２６８（図３４に１つの締結ポート３２６８を示す）を含んでもよい。各締結ポート３２６８は、締結具３２６２の外部ネジ山と係合するように構成された内部ネジ山を有してもよい。
【００９８】
フェース部３２５５は、フェース挿入物３２５６を受けるように構成された周辺凹部３２７２を含んでもよい。図３４〜３７に例を示すように、フェース挿入物３２５６がボディ部３２１０に固定されたときに、フェース挿入物がフェース部３２５５と同一平面上又は実質的に同一平面上に位置するように、周辺凹部３２７２の深さはフェース挿入物３２５６の厚さと同様であってもよい。あるいは、フェース挿入物３２５６は、フェース部３２５５から突き出てもよい。本明細書に記載の器具、方法、及び製造物は、これに限定されない。
【００９９】
締結具３２６２は、ゴルフクラブ３２００のバランスを取るために、及び／又は、ヒール又はトウの重量バイアスを提供するために、類似又は異なる重量を有してもよい。例えば、ボディ部３２１０の重量は、締結具３２６２の重量をそれぞれ増加又は減少させることで、同様に増加又は減少させることができる。一例では、ゴルフクラブヘッドは、トウ部３２３０に近接する締結具３２６２をヒール部３２４０に近接する締結具３２６２より重くすることで、トウ側に偏った重量構成を提供することができる。反対に、ゴルフクラブヘッドは、ヒール部３２４０に近接する締結具をトウ部３２３０に近接する締結具３２６２より重くすることで、ヒール側に偏った重量構成を提供することができる。本明細書に記載の器具、方法、及び製造物は、これに限定されない。
【０１００】
フェース挿入物３２５６をボディ部３２１０に取り付けるために、フェース挿入物３２５６は周辺凹部３２７２に挿入されてもよく、それにより、フェース挿入物３２５６の締結穴３２５８とボディ部３２１０の締結ポート３２６８とを概ね整列させることができる。締結具３２６２は、締結穴３２５８を通じて挿入され、締結ポート３２６８に捻じ込まれて、ボディ部３２１０にフェース挿入物３２５６をしっかりと取り付けることができる。フェース挿入物３２５６は、ゴルフクラブヘッド３２１０に特定のボール打撃特性を与えるために、金属、金属合金、プラスチック、木材、複合材料又はそれらの組み合わせ等の任意の材料から構成されてもよい。フェース挿入物３２５６を製造するための材料は、ボールの速度及び回転の特性に影響を与える可能性がある。従って、フェース挿入物３２５６は、各人に特定のボールの速度及び回転の特性を提供するように選択されてもよい。このため、フェース挿入物３２５６は、異なるボールの速度及び回転の特性を有する他のフェース挿入物３２５６と交換可能でもよい。フェース挿入物３２５６は、ボンディング、溶接、接着剤及び／又は他の適切な締結機器及び／又は方法のような、他の方法又は機器によってボディ部３２１０に結合されてもよい。本明細書に記載の器具、方法、及び製造物は、これに限定されない。
【０１０１】
ボディ部３２１０は、フロント部３２５０とリア部３２６０の間、及びトウ部３２３０とヒール部３２４０の間に延在する内部キャビティ３２８２を含んでもよい。図３５〜３７に示す一例では、内部キャビティ３２８２は、フェース挿入物３２５６によって覆われるフェース部３２５０内の凹部３２８４によって画定されてもよい。凹部３２８４は、トウ部３２３０の近くからヒール部３２４０の近くまで、及びトップ部３２７０の近くからソール部３２８０の近くまで延在してもよい。あるいは、凹部３２８２は、ボディ部３２１０の締結ポート３２６８の間に延在してもよい。一例では、凹部３２８２は、概してゴルフボールを打つフェース部３２５５の領域内及び／又は近傍に位置してもよい。本明細書に記載の器具、方法、及び製造物は、これに限定されない。
【０１０２】  内部キャビティ３２８２は、キャビティ高３２８６（ＨC）と関連付けられてもよく、ボディ部３２１０は、ボディ高３２８８（ＨB）と関連付けられてもよい。キャビティ高３２８６とボディ高３２８８はトウ部とヒール部の間で変化し得るが、キャビティ高３２８６は、ボディ高３２８８の少なくとも５０％であってもよい（ＨC＞０．５＊ＨB）。例えば、キャビティ高３２８６は、ボディ高３２８８の７０％から８５％の間で変化してもよい。内部キャビティ３２８２のキャビティ高３２８６がボディ高３２８８の５０％より大きい場合、ゴルフクラブヘッド３２００は、ゴルフクラブヘッド３２００がフェース部３２５５を介してゴルフボールを打つときに、ボディ高の５０％より小さいキャビティ高を持つゴルフクラブヘッドよりも、比較的より一貫した感触、音、及び／又は結果を生じさせることができる。しかし、キャビティ高３２８６は、ボディ高３２８８の５０％より小さくてもよい。本明細書に記載の器具、方法、及び製造物は、これに限定されない。
【０１０３】  一例では、内部キャビティ３２８２は、無充填（すなわち、空の空間）であってもよい。あるいは、内部キャビティ３２８２は、フェース部３２５５でゴルフボールを打つときに、衝撃を吸収し、振動を分離し、及び／又はノイズを減衰するように、充填材料３２９２で部分的に又は完全に充填されてもよい。充填材料３２９２は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料であってもよい。例えば、内部キャビティ３２８２の少なくとも５０％は、ゴルフクラブヘッド３２００がフェース部３２５５を介してゴルフボールを打つときに、衝撃を吸収し、振動を分離し、及び／又はノイズを減衰するように、ＴＰＥ材料で充填されてもよい。本明細書に記載の器具、方法、及び製造物は、これに限定されない。
【０１０４】
別の例では、充填材料３２９２は、ゴルフクラブヘッド３２１０がフェース部３２５５を介してゴルフボールを打つときに、衝撃を吸収し、振動を分離し、及び／又はノイズを減衰するように、エチレン共重合体材料などのポリマー材料であってもよい。具体的には、内部キャビティ３２８２の少なくとも５０％は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成型可能なエチレン共重合体、様々な形状を作り出す従来の押出し装置で使用できるエチレン共重合体、及び／又は熱硬化性ポリブタジエンゴムに類似した高圧縮性及び低反発性のエチレン共重合体で充填されてもよい。例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔ（登録商標）高性能樹脂（ＨＰＦ）ファミリーの材料（例えば、ＤｕＰｏｎｔ（登録商標）ＨＰＦ  ＡＤ１１７２、ＤｕＰｏｎｔ（登録商標）  ＨＰＦ  ＡＤ１０３５、ＤｕＰｏｎｔ（登録商標）  ＨＰＦ  １０００、及びＤｕＰｏｎｔ（登録商標）  ＨＰＦ  ２０００）に関連する任意のエチレン共重合体を含んでもよい。エチレン共重合体のＤｕＰｏｎｔ（登録商標）ファミリーは、射出成型可能であり、低圧縮性及び高反発力を提供する従来の射出成形装置及び金型を使用することができる。本明細書に記載の器具、方法、及び製造物は、これに限定されない。
【０１０５】
内部キャビティ３２８２は、充填材料３２９２で部分的に又は完全に充填されてもよい。一例では、凹部３２８４は、フェース部３２５５にフェース挿入物３２５６を取り付ける前に、充填材料３２９２で充填されてもよい。一例では、内部キャビティ３２８２は、第１セットのウェイトポート３３２０のウェイトポート３３２２又は３３２４のいずれか１つを介して、充填材料３２９２で充填されてもよい。図３５に示す一例では、ウェイトポート３３２４は、開口部３２９４を介して内部キャビティ３２８２に接続されてもよい。同様に、ウェイトポート３３２２は、開口部（不図示）を介して内部キャビティ３２８２に接続されてもよい。充填材料３２９２は、開口部３２９４を介してウェイトポート３３２４から内部キャビティ３２８２に注入されてもよい。充填材料３２９２が内部キャビティ３２８２を満たすにつれて、充填材料３２９２によって置換された内部キャビティ３２８２内の空気は、ウェイトポート３３２２から内部キャビティ３２８２にウェイトポート３３２２を接続する開口部（不図示）を通じて、内部キャビティ３２８２外に排出されてもよい。従って、ウェイトポート３３２２は、内部キャビティ３２８２内の置換された空気の排出ポートとして機能することができる。内部キャビティ３２８２が充填材料３２９２で部分的に又は完全に充填された後、ウェイトポート３３２２、３３２４は、本明細書に記載されるように、ウェイト部３３３２、３３３４のそれぞれを挿入して固定することで、閉鎖されてもよい。あるいは、ウェイトポート３３２４を内部キャビティ３２８２内の置換された空気の排出ポートとして機能させながら、充填材料３３９２がウェイトポート３３２２から内部キャビティ３２８２に注入されてもよい。本明細書に記載の器具、方法、及び製造物は、これに限定されない。
【０１０６】
例えば、内部キャビティ３２８２の少なくとも５０％は、ゴルフクラブヘッド３２００がフェース部３２５５を介してゴルフボールを打つときに、衝撃を吸収し、振動を分離し、ノイズを減衰し、及び／又は構造的支持を提供するように、充填材料３２９２で充填されてもよい。バックウォール部３２８４の支持と、充填材料３２９２で内部キャビティ３２８２の少なくとも一部を充填することによって、フェイス部３２５５は、ゴルフクラブヘッド３２００の構造的完全性、音、及び／又は感触を劣化させずに相対的に薄くすることができる。一例では、フェース部３２５５は、０．０７５インチ以下の厚さ（例えば、キャビティウォール部３２８２の厚さ）を有してもよい。別の例では、フェース部３２５５は、０．０６０インチ以下の厚さを有してもよい。更に別の例では、フェース部３２５５は、０．０５０インチ以下の厚さを有してもよい。更に、フェース部３２５５は、０．０３０以下の厚さを有してもよい。本明細書に記載の器具、方法、及び製造物は、これに限定されない。本明細書に記載の器具、方法、及び製造物は、種々の実施例で実施することができ、これらの実施例の幾つかの上記説明は、必ずしも全ての可能な実施例の完全な説明を表すものではない。代わりに、図面の説明、及び図面自体は、少なくとも１つの実施例を開示し、及び代替の実施例を開示してもよい。
【０１０７】
一例では、フェース部３２５５は、ボディ部３２１０と一体であってもよく、ボディ部３２１０と一体的な部分（不図示）であってもよい。ボディ部３２１０は、フェース部３２５５の近くに、内部キャビティ３２８２と多くの点で類似する内部キャビティを含んでもよい。しかし、フェース挿入物３２５６によって部分的に画定された内部キャビティ３２８２とは異なり、一体のフェース部３２５５を持つボディ部３２１０の内部キャビティは、ボディ部３２１０と一体的な部分であってもよい。内部キャビティは、本明細書に記載のウェイトポート３３２２及び／又は３３２４を介して、充填材料３２９２で部分的に又は完全に充填されてもよい。本明細書に記載の器具、方法、及び製造物は、これに限定されない。
【０１０８】
図３８の例では、ゴルフクラブヘッド３８００は、ボディ部３８１０を含んでもよい。ボディ部３８１０は、トウ部３８３０と、ヒール部３８４０と、フロント部３８５０と、リア部３８６０と、トップ部３８７０と、ソール部３８８０とを含んでもよい。ボディ部３８１０は、種々の製造方法及び／又は工程（例えば、鋳造工程、鍛造工程、フライス工程、切削工程、研削工程、溶接工程、それらの組み合わせ、等）を介して製造することができる。ボディ部３８１０は、部分的に又は完全に、アルミニウム系材料（例えば、高強度アルミニウム合金、又は高強度合金で被覆された複合アルミニウム合金）、マグネシウム系材料、ステンレス系材料、チタン系材料、タングステン系材料、それらの任意の組み合わせ、及び／又は他の適切なタイプの材料で作製されてもよい。あるいは、ボディ部３８１０は、部分的に又は完全に、非金属材料（例えば、複合材料、プラスチック、等）で作製されてもよい。ゴルフクラブヘッド３８００は、パター型ゴルフクラブヘッド（例えば、ブレード型パター、ミッドマレット型パター、マレット型パター、等）であってもよい。上述したようなパターのタイプに基づいて、ボディ部３８１０は少なくとも２００グラムであってもよい。例えば、ボディ部３８１０は、３００から６００グラムの範囲であってもよい。図３８は特定のタイプのゴルフクラブヘッドを示すが、本明細書に記載の器具、方法、及び製造物は、他のタイプのクラブヘッド（例えば、ドライバー型クラブヘッド、フェアウェイウッド型クラブヘッド、ハイブリッド型クラブヘッド、アイアン型クラブヘッド、等）に適用されてもよい。本明細書に記載の器具、方法、及び製造物は、これに限定されない。
【０１０９】
ボディ部３８１０は、ゴルフクラブを形成するように、一方の端部にゴルフクラブヘッド３８００があり且つ他方の端部にグリップ（不図示）を持つシャフト（不図示）を受けるように構成されたホーゼル部３８４５を含んでもよい。あるいは、ボディ部３８１０は、シャフト（不図示）を受けるボア（不図示）を含んでもよい。フロント部３８５０及びリア部３８６０は、それぞれ、ボディ部３８１０の反対側の両端部にあってもよい。フロント部３８５０は、フェース部３８５５（例えば、打撃面）を含んでもよい。フェース部３８５５は、ゴルフボール（図５に５００として１つ示される）に衝撃を与えるために使用されてもよい。フェース部３８５５は、ゴルフクラブヘッド３８００のロフト角を画定するロフト面と関連付けられてもよい。本明細書に記載の器具、方法、及び製造物は、これに限定されない。
【０１１０】
図３８に示すように、例えば、ボディ部３８１０は、概して第１のウェイト領域３９１２及び第２のウェイト領域４０１２として示される、２以上のウェイト領域を含んでもよい。第１のウェイト領域３９１２は、第１セットのウェイトポート３９２０（例えば、図示のウェイトポート３９２１、３９２２、３９２３、３９２４、３９２５）を持つ第１のウェイトプラットフォーム部３９１４を含んでもよい。第１セットのウェイトポート３９２０の各ウェイトポートは、第１セットのウェイト部３９３０（例えば、図示のウェイト部３９３１、３９３２、３９３３、３９３４、３９３５）の１つのウェイト部を受けるように構成される。第２のウェイト領域４０１２は、第２セットのウェイトポート４０２０（例えば、図示のウェイトポート４０２１、４０２２、４０２３、４０２４、４０２５）を持つ第２のウェイトプラットフォーム部４０１４を含んでもよい。第２セットのウェイトポート４０２０の各ウェイトポートは、第２セットのウェイト部４０３０（例えば、図示のウェイト部４０３１、４０３２、４０３３、４０３４、４０３５）を受けるように構成される。第１セットのウェイト部３９３０の各ウェイト部は、第２セットのウェイト部４０３０の各ウェイト部と交換可能であってもよい。従って、第１セットのウェイトポート３９２０及び第２セットのウェイトポート４０２０の各ウェイトポートは、第１セットのウェイト部３９３０又は第２セットのウェイト部４０３０の任意のウェイト部を交換可能に受けるように構成されてもよい。
【０１１１】
第１のウェイトプラットフォーム部３９１４及び第２のウェイトプラットフォーム部４０１４は、ボディ部長３８９５（ＬB）の約４０％より大きいウェイトプラットフォーム部長４０１５（ＬWP）を有してもよい。一例では、ウェイトプラットフォーム部長４０１５は、ボディ部長３８９５の５０％より大きくてもよい。一例では、ウェイトプラットフォーム部長４０１５は、ボディ部長３８９５の６０％より大きくてもよい。一例では、ウェイトプラットフォーム部長４０１５は、ボディ部長３８９５の７０％より大きくてもよい。従って、各ウェイトプラットフォーム部３９１４、４０１４の質量は、ボディ部長３８９５のかなりの部分に沿って分配されてもよい。本明細書に記載の器具、方法、及び製造物は、これに限定されない。
【０１１２】
第１及び第２のウェイトプラットフォーム部３９１４、４０１４の質量は、ボディ部３８１０の横方向外側に移動させることができる。各ウェイトプラットフォーム部の質量は、第１のウェイトプラットフォーム部３９１４と第２のウェイトプラットフォーム部４０１４を含むボディ部３８１０の質量の５％から３０％の間であってもよい。一例では、ウェイトプラットフォーム部がチタン又はチタン合金を含む金属のように比較的軽い金属から作製される場合、各ウェイトプラットフォーム部の質量は、ボディ部３８１０の質量の約３％から約１３％の間であってもよい。別の例では、ウェイトプラットフォーム部が鋼鉄を含む金属から作製される場合、各ウェイトプラットフォーム部の質量は、ボディ部３８１０の質量の約８％から約２１％の間であってもよい。更に別の例では、ウェイトプラットフォーム部がマグネシウム又はマグネシウム合金のように比較的重い金属から作製される場合、各ウェイトプラットフォーム部の質量は、ボディ部３８１０の質量の約１０％から約３０％の間であってもよい。従って、ボディ部の質量の約３％から約３０％は、ボディ部３８１０の他の部分とは別のウェイトプラットフォーム部３９１４、４０１４によってトウ部３８３０からヒール部３８４０の間に再分配されてもよい。また、第１のウェイトプラットフォーム部３９１４は、トウ部３８３０の周辺又はその近傍に配置されてもよく、第２のウェイトプラットフォーム部４０１４は、ヒール部３８４０の周辺又はその近傍に配置されてもよい。本明細書に記載の器具、方法、及び製造物は、これに限定されない。
【０１１３】
第１セットのウェイトポート３９２０の各ウェイトポートは、第１ポート直径（ＰＤ1）を有してもよい。具体的には、第１ポート直径未満の均一な距離は、第１セットのウェイトポート３９２０のうちの隣接するいずれか２つのウェイトポート（例えば、（i）ウェイトポート３９２１と３９２２、（ii）ウェイトポート３９２２と３９２３、（iii）ウェイトポート３９２３と３９２４、又は（iv）ウェイトポート３９２４と３９２５）を離してもよい。一例では、第１ポート直径は、約０．２５インチであってもよく、第１セット３９２０のうちの隣接するいずれか２つのウェイトポートは、０．１インチで離されてもよい。第２セットのウェイトポート４０２０の各ウェイトポートは、第２ポート直径（ＰＤ2）を有してもよい。第２ポート直径未満の均一な距離は、第２セット４０２０のうちの隣接するいずれか２つのウェイトポート（例えば、（i）ウェイトポート４０２１と４０２２、（ii）ウェイトポート４０２２と４０２３、（iii）ウェイトポート４０２３と４０２４、又は（iv）ウェイトポート４０２４と４０２５）を離してもよい。第１ポート直径及び第２ポート直径は、互いに等しくてもよい（すなわち、ＰＤ1＝ＰＤ2）。例えば、第２ポート直径は、約０．２５インチであってもよく、第２セット４０２０のうちの隣接するいずれか２つのウェイトポートは、０．１インチで離されてもよい。本明細書に記載の器具、方法、及び製造物は、これに限定されない。
【０１１４】
第１のウェイトプラットフォーム部３９１４、第１セットのウェイトポート３９２０（ウェイトポート３９２１、３９２２、３９２３、３９２４、３９２５）、及び／又は第１セットのウェイト部３９３０（ウェイト部３９３１、３９３２、３９３３、３９３４、３９３５）は、第１の視覚的ガイド部３９４２を形成してもよい。第２のウェイトプラットフォーム部４０１４、第２セットのウェイトポート４０２０（ウェイトポート４０２１、４０２２、４０２３、４０２４、４０２５）、及び／又は第２セットのウェイト部４０３０（ウェイト部４０３１、４０３２、４０３３、４０３４、４０３５）は、第２の視覚的ガイド部４０４２を形成してもよい。第１のウェイト領域３９１２は、ゴルフクラブヘッド３８００のトウ部３８３０の周辺又はその近傍に配置されてもよい。従って、第１の視覚的ガイド部３９４２は、トウ部３８３０の周辺又はその近傍に配置されてもよい。第２のウェイト領域４０１２は、ゴルフクラブヘッド３８００のヒール部３８４０の周辺又はその近傍に配置されてもよい。従って、第２の視覚的ガイド部４０４２は、ヒール部３８４０の周辺又はその近傍に配置されてもよい。第１のウェイトプラットフォーム部３９１４及び／又は第１セットのウェイト部３９３０の任意のウェイト部は、ボディ部３８１０の周囲部分から視覚的に区別されるように、異なる色、マーク及び／又は他の視覚的特徴を有してもよい。同様に、第２のウェイトプラットフォーム部３９１４及び／又は第１セットのウェイト部４０３０の任意のウェイト部は、ボディ部３８１０の周囲部分から視覚的に区別されるように、異なる色、マーク及び／又は他の視覚的特徴を有してもよい。本明細書に記載の器具、方法、及び製造物は、これに限定されない。
【０１１５】
ゴルフクラブヘッド３８１０は、第１及び第２の視覚的ガイド部３９４２、４０４２から実質的に等距離にある、第３の視覚的ガイド部４１４２を含んでもよい。例えば、第３の視覚的ガイド部４０４２は、ボディ部３８１０の中央又はその近傍の位置で、フロント部３８５０とリア部３８６０との間に延在してもよい。第３の視覚的ガイド部４１４２は、第１及び／又は第２の視覚的ガイド部３９４２、４０４２のそれぞれと同じであってもよく、異なっていてもよい。一例では、第３の視覚的ガイド部４１４２は、特定の色を有する凹状線部であってもよい。別の例では、第３の視覚的ガイド部４１４２は、複数のウェイト部（不図示）を収容した複数のウェイトポート（不図示）を含んでもよい。あるいは、第３の視覚的ガイド部４１４２は、トップ部３８７０の隆起部によって画定されてもよい。第３の視覚的ガイド部４１４２は、本明細書に記載の任意の視覚的ガイド部と多くの点で類似してもよい。従って、第３の視覚的ガイド部４１４２の詳細な説明は省略する。本明細書に記載の器具、方法、及び製造物は、これに限定されない。
【０１１６】
第１及び第２セットのウェイト部３９３０、４０３０は、それぞれ、類似又は異なる物理的特性（例えば、密度、形状、質量、体積、サイズ、色、等）を有してもよい。第１及び第２セットのウェイト部３９３０、４０３０は、それぞれ、第１及び第２セットのウェイトポート３９２０、４０２０のそれぞれのウェイトポートを固定するためのネジ山を含んでもよい。第１及び第２セットのウェイト部３９３０、４０３０の物理的特性は、それぞれ、本明細書に記載の任意のウェイト部と多くの点で類似してもよい。従って、第１及び第２セットのウェイト部３９３０、４０３０のそれぞれのウェイト部の物理的特性の詳細な説明は省略する。本明細書に記載の器具、方法、及び製造物は、これに限定されない。
【０１１７】
第１のウェイトプラットフォーム部３９１４は、第１セットのウェイト部３９３０又は第２セットのウェイト部４０３０の任意の１以上のウェイト部によってボディ部３８１０に取り付けられてもよい。ボディ部は、トウ部３８３０又はその近傍のトップ部３８７０に複数のトウ側ネジ山付きボア（不図示）を含んでもよい。図３８に示すように、第１のウェイトプラットフォーム部３９１４がトウ部３８３０の周辺又はその近傍のトップ部３８７０に配置される場合、トウ側ネジ山付きボアは、第１セットのウェイトポート３９２０のウェイトポートに概して合致してもよい。第１セットのウェイト部３９３０又は第２セットのウェイト部４０３０のウェイト部が第１セットのウェイトポート３９２０に挿入される場合、ウェイト部はボディ部３８１０の対応するトウ側ネジ山付きボアの１つを通って延びて、ウェイト部のネジ山が対応するトウ側ネジ山付きボア内のネジ山と係合する。その後、ウェイト部は、ボディ部３８１０の第１のウェイトプラットフォーム部３９１４に固定するために、対応するトウ側ネジ山付きボアに捻じ込むことができる。
【０１１８】
第２のウェイトプラットフォーム部４０１４は、第１セットのウェイト部３９３０又は第２セットのウェイト部４０３０の任意の１以上のウェイト部によってボディ部３８１０に取り付けられてもよい。ボディ部は、ヒール部３８４０又はその近傍のトップ部３８７０に複数のヒール側ネジ山付きボア（不図示）を含んでもよい。図３８に示すように、第２セットのウェイトプラットフォーム部４０１４がヒール部３８４０又はその近傍のトップ部３８７０に配置される場合、ヒール側ネジ山付きボアは、第２セットのウェイトポート４０２０のウェイトポートに概して合致してもよい。第１セットのウェイト部３９３０又は第２セットのウェイト部４０３０のウェイト部が第２セットのウェイトポート４０２０に挿入される場合、ウェイト部はボディ部３８１０の対応するヒール側ネジ山付きボアの１つを通って延びて、ウェイト部のネジ山が対応するヒール側ネジ山付きボア内のネジ山と係合する。その後、ウェイト部は、ボディ部３８１０の第２のウェイトプラットフォーム部４０１４に固定するために、対応するヒール側ネジ山付きボアに捻じ込むことができる。
【０１１９】
第１及び第２セットのウェイト部３９３０、４０３０の各ウェイト部は、それぞれ、本明細書に記載のようにウェイトポートを通ってボディ部の対応するネジ山付きボアに延びるのに十分な長さを有し、ボディ部３８１０に第１のウェイトプラットフォーム部３９１４及び第２のウェイトプラットフォーム部４０１４を固定してもよい。第１セットのウェイト部３９３０の１以上のウェイト部及び／又は第２セットのウェイト部４０３０の１以上のウェイト部は、ゴルフクラブヘッド３８００の重量分布を構成するためのウェイトと、ボディ部３８１０上の第１のウェイトプラットフォーム部３９１４及び／又は第２のウェイトプラットフォーム部４０１４を固定するための締結具の両方として機能してもよい。あるいは、第１のウェイトプラットフォーム部３９１４及び／又は第２のウェイトプラットフォーム部４０１４は、第１セットのウェイト部３９３０の１以上のウェイト部及び／又は第２セットのウェイト部４０３０の１以上のウェイト部がウェイト部としてのみ機能するような他のタイプの締結機構を用いて、ボディ部に固定されてもよい。本明細書に記載の器具、方法、及び製造物は、これに限定されない。
【０１２０】
第１及び第２のウェイトプラットフォーム部３９１４、４０１４の各々は、それぞれ、部分的に又は完全に、アルミニウム系材料（例えば、高強度アルミニウム合金、又は高強度合金で被覆された複合アルミニウム合金）、マグネシウム系材料、ステンレス系材料、チタン系材料、タングステン系材料、それらの任意の組み合わせ、及び／又は他の適切なタイプの材料で作製されてもよい。第１及び第２のウェイトプラットフォーム部３９１４、４０１４は、それぞれ、ゴルフクラブヘッド３８００の重量分布、重心位置、及び／又は慣性モーメントに最適な影響を及ぼすように、類似の質量又は異なる質量を有してもよい。ウェイトプラットフォーム部３９１２、３９１２の各々は、ボディ部３８１０の追加ウェイトとして、及びウェイト部３９３０、４０３０の形式のボディ部の追加ウェイトを受けるプラットフォームとして機能してもよい。従って、ウェイトプラットフォーム３９１４及び／又は４０１４の物理的特性及び構成材料は、ゴルフクラブヘッド３８００の重量、重量分布、重心位置、慣性モーメント特性、構造的完全性、及び／又は、他の静的及び／又は動的特性に、最適な影響を及ぼすように決定することができる。
【０１２１】
一例では、フェース部３８５５は、ボディ部３８１０と一体であってもよく、ボディ部３８１０と一体的な部分（不図示）であってもよい。フェース部３８５５は、ボディ部３８１０に結合される別々の部品又は挿入物を含んでもよい。フェース部３８５５は、任意の製造方法及び／又は工程（例えば、ボンディング工程、溶接工程、ろう付け工程、機械的なロック方法、機械的な締結方法、それらの任意の組み合わせ、又は他の適切なタイプの製造方法及び／又は工程）を介してフロント部に結合される、フェース挿入物３８５６を含んでもよい。図３８に示す一例では、フェース挿入物３８５６は、フェース挿入物３２５６のトウ部及びヒール部の近傍に２つの締結穴３８５８を含んでもよい。締結穴３８５８の各々は、ボディ部３８１０にフェース挿入物３８５６を取り付けるための締結具３８６２を受けるように構成されてもよい。ボディ部３８１０は、締結具３８６２を受けるように構成された２つの締結ポート（不図示）を含んでもよい。締結具３８６２は、第１セットのウェイト部３９３０のウェイト部及び／又は第２セットのウェイト部４０３０のウェイト部と類似又は実質的に類似してもよい。従って、締結具３８６２は、ゴルフクラブヘッド３８００の重量分布を構成するためのウェイトと、フェース部３８５５にフェース挿入物３８５６を固定するための締結具の両方として機能してもよい。本明細書に記載の器具、方法、及び製造物は、これに限定されない。各締結ポートは、締結具３８６２の外部ネジ山と係合するように構成された内部ネジ山を有してもよい。ボディ部３８１０の締結ポートは、ゴルフクラブヘッド３２００の締結ポート３２６８と多くの点で類似してもよい。本明細書に記載の器具、方法、及び製造物は、これに限定されない。
【０１２２】
フェース部３８５５は、フェース挿入物３８５６を受けるように構成された周辺凹部３８７２（図４６に示す）を含んでもよい。図４６に例を示すように、フェース挿入物３８５６がボディ部３８１０に固定されたときに、フェース挿入物がフェース部３８５５と同一平面上又は実質的に同一平面上に位置するように、周辺凹部３８７２の深さは、フェース挿入物３８５６の厚さと同様であってもよい。あるいは、フェース挿入物３８５６は、フェース部３８５５から突き出てもよい。本明細書に記載の器具、方法、及び製造物は、これに限定されない。
【０１２３】
上述したように、締結具３８６２は、締結具３８６２がゴルフクラブヘッド３８００の重量分布を構成するよう機能するように、第１セットのウェイト部３９３０のウェイト部及び／又は第２セットのウェイト部４０３０のウェイト部と類似又は実質的に類似してもよい。従って、締結具３８６２は、ゴルフクラブ３８００のバランスを取るために、及び／又は、ヒール又はトウの重量バイアスを提供するために、類似又は異なる重量を有してもよい。例えば、ボディ部３８１０の重量は、締結具３８６２の重量をそれぞれ増加又は減少させることで、同様に増加又は減少させることができる。一例では、ゴルフクラブヘッドは、トウ部３８３０に近接する締結具３８６２をヒール部３８４０に近接する締結具３８６２より重くすることで、トウ側に偏った重量構成を提供することができる。反対に、ゴルフクラブヘッドは、ヒール部３８４０に近接する締結具をトウ部３８３０に近接する締結具３８６２より重くすることで、ヒール側に偏った重量構成を提供することができる。本明細書に記載の器具、方法、及び製造物は、これに限定されない。
【０１２４】
フェース挿入物３８５６をボディ部３８１０に取り付けるために、フェース挿入物３８５６は周辺凹部３８７２に挿入されてもよく、それにより、フェース挿入物３８５６の締結穴３８５８とボディ部３８１０の締結ポート（不図示）とを概ね整列させることができる。締結具３８６２は、締結穴３８５８を通じて挿入され、ボディ部３８１０の締結ポートに捻じ込まれて、ボディ部３８１０にフェース挿入物３８５６をしっかりと取り付けることができる。フェース挿入物３８５６は、ゴルフクラブヘッド３８１０に特定のボール打撃特性を与えるために、金属、金属合金、プラスチック、木材、複合材料又はそれらの組み合わせ等の任意の材料から構成されてもよい。フェース挿入物３８５６を製造するための材料は、ボールの速度及び回転の特性に影響を与える可能性がある。従って、フェース挿入物３８５６は、各人に特定のボールの速度及び回転の特性を提供するように選択されてもよい。このため、フェース挿入物３８５６は、異なるボールの速度及び回転の特性を有する他のフェース挿入物３８５６と交換可能でもよい。フェース挿入物３８５６は、ボンディング、溶接、接着剤及び／又は他の適切な締結機器及び／又は方法のような、他の方法又は機器によってボディ部３８１０に結合されてもよい。本明細書に記載の器具、方法、及び製造物は、これに限定されない。
【０１２５】
ボディ部３８１０は、フロント部３８５０とリア部３８６０の間、及びトウ部３８３０とヒール部３８４０の間に延在する内部キャビティ３８８２（図４６に示す）を含んでもよい。内部キャビティ３８８２は、フェース部３８５５及び／又はソール部３８８０で開口し、又はアクセス可能であってもよい。従って、内部キャビティ３８８２は、フェース部３８５５に第１の開口部４１７６を有し及び／又はソール部３８８０に第２の開口部４１７８を有してもよい。内部キャビティ３８８２は、ゴルフクラブヘッド３８００の全体の質量に影響を与えず又は実質的に影響を与えずに、除去された質量が第１のウェイトプラットフォーム部３９１４及び第２のウェイトプラットフォーム部４０１４を用いてトウ部３８３０及びヒール部３８４０に再分配されるように、ボディ部３８１０の質量がボディ部３８１０の中心位置又はその周囲から除去されることを可能にする。
【０１２６】
図４３、４６に示す一例では、内部キャビティ３８８２は、フェース挿入物３８５６によってフェース部３８５５で覆われ、カバー又はソールプレート４１８０によってソール部３８８０で覆われてもよい。一例では、ソールプレート４１８０は、ゴルフクラブヘッド３８００の質量の７％から１７％の間の質量を有してもよい。一例では、ソールプレートは、ゴルフクラブヘッド３８００の質量の１０％から１５％の間の質量を有してもよい。本明細書に記載のように、内部キャビティ３８８２は、ボディ部３８１０の質量をボディ部３８１０の中心位置又はその周囲から除去することを可能にする。除去された質量は、ゴルフクラブヘッド３８００の全体の質量に影響を与えず又は実質的に影響を与えずに、ゴルフクラブヘッド３８００の重心が低くなるように、ソールプレート４１８０を用いてソール部３８８０に再分配されてもよい。本明細書に記載の器具、方法、及び製造物は、これに限定されない。
【０１２７】
ソールプレート４１８０は、１以上の締結具でソール部３８８０に取り付けられてもよい。図３９の例では、ソールプレート４１８０は、ソール部３８８０で内部キャビティ３８８２の第２の開口部４１７８を覆うように、締結具４１８１、４１８２、４１８３でソール部３８８０に取り付けられてもよい。締結具４１８１、４１８２、４１８３の各々は、ボディ部３８１０内の対応するネジ付きボア４１９０（図４６に示す）と係合するよう構成されたネジ部を有してもよい。締結具４１８１、４１８２及び／又は４１８３は、第１セットのウェイト部３９３０のウェイト部及び／又は第２セットのウェイト部４０３０のウェイト部と類似又は実質的に類似してもよい。従って、締結具４１８１、４１８２及び／又は４１８３は、ゴルフクラブヘッド３８００の重量分布を構成するためのウェイトと、ソール部４０８０にソールプレート４１８０を固定するための締結具の両方として機能してもよい。締結具４１８１、４１８２及び／又は４１８３は、ソールプレート４１８０に関して本明細書に記載したように、ゴルフクラブヘッド３８００の全体の質量に影響を与えず又は実質的に影響を与えずに、ソール部３８８０に更に質量を追加することによって、ゴルフクラブヘッド３８００の重心を低くしてもよい。本明細書に記載の器具、方法、及び製造物は、これに限定されない。
【０１２８】
ソールプレートは、部分的に又は完全に、アルミニウム系材料（例えば、高強度アルミニウム合金、又は高強度合金で被覆された複合アルミニウム合金）、マグネシウム系材料、ステンレス系材料、チタン系材料、タングステン系材料、それらの任意の組み合わせ、及び／又は他の適切なタイプの材料で作製されてもよい。ソールプレート４１８０の物理的特性及び構成材料は、ゴルフクラブヘッド３８００の重量、重量分布、重心位置、慣性モーメント特性、構造的完全性、及び／又は、他の静的及び／又は動的特性に、最適な影響を及ぼすように決定することができる。
【０１２９】
内部キャビティ３８８２は、トウ部３８３０の近くからヒール部３８４０の近くまで、及びトップ部３８７０の近くからソール部３８８０の近くまで延在してもよい。あるいは、内部キャビティは、フロント部３８５０とリア部３８６０の間に延在し、トウ部３８３０とヒール部３８４０の近くの間及びトップ部３８７０とソール部３８８０の近くの間のボディ部３８１０の一部を含んでもよい。一例では、内部キャビティ３８８２の一部は、概してゴルフボールを打つフェース部３８５５の領域の近傍に配置されてもよい。一例では、内部キャビティ３８８２は、ゴルフクラブヘッド３２００の内部キャビティ３２８２と同様のフェース部３８５５のみにあってもよい。本明細書に記載の器具、方法、及び製造物は、これに限定されない。
【０１３０】  フェース部３８５５に近接する内部キャビティ３８８２は、キャビティ高３８８６（ＨC）と関連付けられてもよく、フェース部３８５５に近接するボディ部３８１０は、ボディ高３８８８（ＨB）と関連付けられてもよい。キャビティ高３８８６とボディ高３８８８は、トウ部とヒール部の間、フロント部とリア部の間、及びトップ部とソール部の間で変化し得るが、キャビティ高３８８６は、フェース部３８５５又は内部キャビティ３８８２の任意の位置の近傍のボディ高３８８８の少なくとも５０％であってもよい（ＨC＞０．５＊ＨB）。例えば、キャビティ高３８８６は、ボディ高３８８８の７０％から８５％の間で変化してもよい。内部キャビティ３８８２のキャビティ高３８８６がボディ高３８８８の５０％より大きい場合、ゴルフクラブヘッド３８００は、ゴルフクラブヘッド３８００がフェース部３８５５を介してゴルフボールを打つときに、ボディ高の５０％より小さいキャビティ高を持つゴルフクラブヘッドよりも、比較的より一貫した感触、音、及び／又は結果を生じさせることができる。しかし、キャビティ高３８８６は、ボディ高３８８８の５０％より小さくてもよい。本明細書に記載の器具、方法、及び製造物は、これに限定されない。
【０１３１】  一例では、内部キャビティ３８８２は、無充填（すなわち、空の空間）であってもよい。あるいは、内部キャビティ３８８２は、フェース部３８５５でゴルフボールを打つときに、衝撃を吸収し、振動を分離し、及び／又はノイズを減衰するように、充填材料（不図示）で部分的に又は完全に充填されてもよい。充填材料は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料であってもよい。例えば、内部キャビティ３８８２の少なくとも５０％は、ゴルフクラブヘッド３８００がフェース部３８５５を介してゴルフボールを打つときに、衝撃を吸収し、振動を分離し、及び／又はノイズを減衰するように、ＴＰＥ材料で充填されてもよい。一例では、充填材料（例えば、ＴＰＥ、ＴＰＵ、等）の質量は、ゴルフクラブヘッド３８００の質量の３％から１３％の間であってもよい。一例では、充填材料の質量は、ゴルフクラブヘッド３８００の質量の６％から１０％の間であってもよい。本明細書に記載の器具、方法、及び製造物は、これに限定されない。
【０１３２】
別の例では、充填材料は、ゴルフクラブヘッド３８１０がフェース部３８５５を介してゴルフボールを打つときに、衝撃を吸収し、振動を分離し、及び／又はノイズを減衰するように、エチレン共重合体材料などのポリマー材料であってもよい。具体的には、内部キャビティ３８８２の少なくとも５０％は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成型可能なエチレン共重合体、様々な形状を作り出す従来の押出し装置で使用できるエチレン共重合体、及び／又は熱硬化性ポリブタジエンゴムに類似した高圧縮性及び低反発性のエチレン共重合体で充填されてもよい。例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔ（登録商標）高性能樹脂（ＨＰＦ）ファミリーの材料（例えば、ＤｕＰｏｎｔ（登録商標）ＨＰＦ  ＡＤ１１７２、ＤｕＰｏｎｔ（登録商標）  ＨＰＦ  ＡＤ１０３５、ＤｕＰｏｎｔ（登録商標）  ＨＰＦ  １０００、及びＤｕＰｏｎｔ（登録商標）  ＨＰＦ  ２０００）に関連する任意のエチレン共重合体を含んでもよい。エチレン共重合体のＤｕＰｏｎｔ（登録商標）ファミリーは、射出成型可能であり、低圧縮性及び高反発力を提供する従来の射出成形装置及び金型を使用することができる。本明細書に記載の器具、方法、及び製造物は、これに限定されない。
【０１３３】
内部キャビティ３８８２は、充填材料３８９２で部分的に又は完全に充填されてもよい。一例では、内部キャビティ３８８２は、フェース挿入物３８５６及び／又はソールプレート４１８０のそれぞれをボディ部３８１０に取り付ける前に、第１の開口部４１７６及び／又は第２の開口部４１７８から充填材料で充填されてもよい。一例では、内部キャビティ３８８２は、フェース挿入物３８５６及びソールプレート４１８０がボディ部３８１０に取り付けられた後に、ソールプレート４１８０の１以上のポート（不図示）を通じて内部キャビティ３８８２に充填材料が注入されることによって、充填材料で充填されてもよい。充填材料によって置換された内部キャビティ３８８２内の空気をソールプレート４１８０の１以上の他のポートから内部キャビティ３８８２外に排気させながら、充填材料がソールプレート４１８０上の１以上のポートから内部キャビティ３８８２に注入されてもよい。
【０１３４】
例えば内部キャビティ３８８２の少なくとも５０％は、ゴルフクラブヘッド３８００がフェース部３８５５を介してゴルフボールを打つときに、衝撃を吸収し、振動を分離し、ノイズを減衰し、及び／又は構造的支持を提供するように、充填材料で充填されてもよい。充填材料によって、フェース部３８５５は、ゴルフクラブヘッド３８００の構造的完全性、音、及び／又は感触を劣化させずに相対的に薄くすることができる。一例では、フェース部３８５５は、０．０７５インチ以下の厚さ（例えば、キャビティウォール部３８８２の厚さ）を有してもよい。別の例では、フェース部３８５５は、０．０６０インチ以下の厚さを有してもよい。更に別の例では、フェース部３８５５は、０．０５０インチ以下の厚さを有してもよい。更に、フェース部３８５５は、０．０３０以下の厚さを有してもよい。本明細書に記載の器具、方法、及び製造物は、これに限定されない。本明細書に記載の器具、方法、及び製造物は、種々の実施例で実施することができ、これらの実施例の幾つかの上記説明は、必ずしも全ての可能な実施例の完全な説明を表すものではない。代わりに、図面の説明、及び図面自体は、少なくとも１つの実施例を開示し、及び代替の実施例を開示してもよい。
【０１３５】
ゴルフのルールが時々変更されるように（例えば、ゴルフ標準団体及び／又は全米ゴルフ協会（ＵＳＧＡ）、全英ゴルフ協会（Ｒ＆Ａ）、等のような運営組織によって、新しい規則が採択されてもよく又は古い規則が撤廃又は変更されてもよい）、本明細書に記載の器具、方法、及び製造物に関連するゴルフ用品は、任意の特定の時点のゴルフのルールに適合しても適合しなくてもよい。従って、本明細書に記載の器具、方法、及び製造物に関連するゴルフ用品は、適合又は不適合のゴルフ用品として宣伝され、売りに出され、及び／又は販売されてもよい。本明細書に記載の器具、方法、及び製造物は、これに限定されない。
【０１３６】
器具、方法、及び製造物の特定の例を本明細書で説明したが、本開示の対象領域はこれに限定されない。これに対し、本開示は、添付の特許請求の範囲又は均等論の領域内に公正に入る全ての器具、方法、及び製造物をカバーする。
【要約】    ゴルフクラブヘッド及びゴルフクラブヘッド製造方法の実施例は、概して本明細書に記載されている。一例では、ゴルフクラブヘッドは、トウ部と、ヒール部と、リア部と、打撃面を持つフロント部と、ソール部と、複数のウェイトポートを持つトップ部とを有するボディ部を備えてもよい。前記ボディ部は、ゴルフクラブヘッドの周囲を画定してもよい。ゴルフクラブヘッドはまた、前記複数のウェイトポートの各ウェイトポートに各々が配置される複数のウェイト部を備えてもよい。他の実施例及び実施形態は、明細書で説明され、特許請求の範囲に記載される。
【選択図】図１【図１】
0006302605.tif 000002
【図２】
0006302605.tif 000003
【図３】
0006302605.tif 000004
【図４】
0006302605.tif 000005
【図５】
0006302605.tif 000006
【図６】
0006302605.tif 000007
【図７】
0006302605.tif 000008
【図８】
0006302605.tif 000009
【図９】
0006302605.tif 000010
【図１０】
0006302605.tif 000011
【図１１】
0006302605.tif 000012
【図１２】
0006302605.tif 000013
【図１３】
0006302605.tif 000014
【図１４】
0006302605.tif 000015
【図１５】
0006302605.tif 000016
【図１６】
0006302605.tif 000017
【図１７】
0006302605.tif 000018
【図１８】
0006302605.tif 000019
【図１９】
0006302605.tif 000020
【図２０】
0006302605.tif 000021
【図２１】
0006302605.tif 000022
【図２２】
0006302605.tif 000023
【図２３】
0006302605.tif 000024
【図２４】
0006302605.tif 000025
【図２５】
0006302605.tif 000026
【図２６】
0006302605.tif 000027
【図２７】
0006302605.tif 000028
【図２８】
0006302605.tif 000029
【図２９】
0006302605.tif 000030
【図３０】
0006302605.tif 000031
【図３１】
0006302605.tif 000032
【図３２】
0006302605.tif 000033
【図３３】
0006302605.tif 000034
【図３４】
0006302605.tif 000035
【図３５】
0006302605.tif 000036
【図３６】
0006302605.tif 000037
【図３７】
0006302605.tif 000038
【図３８】
0006302605.tif 000039
【図３９】
0006302605.tif 000040
【図４０】
0006302605.tif 000041
【図４１】
0006302605.tif 000042
【図４２】
0006302605.tif 000043
【図４３】
0006302605.tif 000044
【図４４】
0006302605.tif 000045
【図４５】
0006302605.tif 000046
【図４６】
0006302605.tif 000047